(57)【特許請求の範囲】
【請求項１】
外装ケースと、
上記外装ケースに開閉可能に取り付けられた扉と、
上記外装ケースに対し上記扉を閉じた状態にロックするための錠と、
上記外装ケース及び上記扉の少なくとも一方に設けられ、上記外装ケースに対して閉じられた上記扉を封かんするための封かん具を取り付けさせるための孔部が穿設された取付板、及び当該取付板に取り付けられた上記封かん具の少なくとも一部を収納する封かん具収納溝部を有し、上記封かん具を上記外装ケースに対し上記扉を閉じた状態にするように取り付けさせることができる封かん具取付部と
を具える紙葉類収納庫。
【請求項２】
上記錠に取り付けられ、上記外装ケースに対し上記扉を閉じた状態にロックするための閂
を具え、
上記錠は、
上記閂と共に上記扉の一端部において一方の隅側を除く所定位置に設けられ、
上記封かん具取付部は、
上記扉の上記一端部の上記一方の隅側に設けられた
請求項１に記載の紙葉類収納庫。
【請求項３】
上記錠は、
上記閂と共に上記扉の上記一端部の他方の隅側に設けられた
請求項２に記載の紙葉類収納庫。
【請求項４】
上記錠は、
上記閂と共に上記扉の上記一端部において中央部分に設けられ、
上記封かん具取付部は、
上記扉の上記一端部の上記一方の隅側と共に他方の隅側にそれぞれ設けられた
請求項２に記載の紙葉類収納庫。
【請求項５】
上記封かん具取付部は、
上記封かん具収納溝部に収納された上記封かん具が当該封かん具収納溝部から飛び出すことを防止するための飛出防止部
を具える請求項１に記載の紙葉類収納庫。
【請求項６】
内部に取扱対象の紙葉類を収納するための外装ケースと、上記外装ケースに開閉可能に取り付けられた扉と、上記外装ケースに対し上記扉を閉じた状態にロックするための錠と、上記外装ケース及び上記扉の少なくとも一方に設けられ、上記外装ケースに対して閉じられた上記扉を封かんするための封かん具を取り付けさせるための孔部が穿設された取付板、及び当該取付板に取り付けられた上記封かん具の少なくとも一部を収納する封かん具収納溝部を有し、上記封かん具を上記外装ケースに対し上記扉を閉じた状態にするように取り付けさせることができる封かん具取付部とから形成される紙幣類収納庫が取外可能に配置される収納庫配置部
を具える紙葉類取扱装置。
【発明の詳細な説明】
【技術分野】
【０００１】
本発明は紙葉類収納庫及び紙葉類取扱装置に関し、例えば、紙幣の入金及び出金の取引を行う現金自動預払機（ATM：Automatic  Teller  Machine）、及び当該現金自動預払機に着脱可能に装着される紙幣収納庫に適用して好適なものである。
【背景技術】
【０００２】
従来の現金自動預払機には、紙幣を収納し、また繰り出す紙幣収納庫が着脱可能に装着されている。この場合、紙幣収納庫には、現金自動預払機から外され特定の紙幣装填場所で係員による内部への紙幣の装填が可能なように、扉が開閉可能に取り付けられている。
【０００３】
また紙幣収納庫には、現金自動預払機に対する着脱の際や、当該現金自動預払機と紙幣装填場所との間での運搬の際等に内部の紙幣を保護するため、扉を閉じた状態にロックする錠も取り付けられている。
【０００４】
ただし、紙幣収納庫については、このような着脱や運搬の際等に、内部に紙幣が装填されている状態で人に触れられる機会がある以上、錠によってロックされている扉が不正に開かれる可能性が全く無いとは言えない。
【０００５】
このため従来、この種の紙幣収納庫として、扉が不正に開かれた可能性があるかどうかが確認可能なように、図４８及び図４９に示すように構成されたものがある。
【０００６】
図４８及び図４９に示すように、係る紙幣収納庫は、図示しない扉の開閉を規制する施錠部３００が当該紙幣収納庫の前面板に固着されている。
【０００７】
施錠部３００は、ベース３０１を有し、当該ベース３０１に扉を閉じた状態にロックするための錠３０２が取り付けられると共に、その錠３０２の鍵穴３０２Ａを隠蔽し、また露出させるようにカバー３０３が開閉可能に取り付けられている。
【０００８】
またベース３０１内には、カバー３０３をロックするためのロックプレート３０４が回動可能に設けられている。そして施錠部３００は、ベース３０１に対しカバー３０３が閉じられたとき、図示しないスプリングの付勢によってロックプレート３０４を回転させてカバー３０３を閉じた状態にロックする。
【０００９】
さらにベース３０１には、ロックプレート３０４のプレート一端部３０４Ａと対向するベース長孔が穿設され、カバー３０３には、ベース３０１に対して閉じられた状態で、そのベース長孔と対向するように細長い鍵穴３０３Ａが形成されている。
【００１０】
そして施錠部３００は、カバー３０３をロックした状態で、鍵穴３０３Ａからベース長孔に亘りロック解除鍵３０５が差し込まれたまま当該鍵穴３０３Ａに沿って移動してプレート一端部３０４Ａに押し付けられると、ロックプレート３０４を回転させてカバー３０３のロックを解除する。
【００１１】
これにより施錠部３００は、ベース３０１に対しカバー３０３を開かせて錠３０２の鍵穴３０２Ａを露出させ、かくして錠３０２の鍵孔３０２Ａに図示しない扉開閉鍵が差し込まれて回転操作されると、扉のロックを解除して開かせることができる。
【００１２】
ところで、施錠部３００は、ベース３０１に対しベース長孔を塞ぐように識別紙３０６を配置することができ、ベース３０１に対しカバー３０３が閉じられている状態では識別紙３０６をベース長孔と鍵穴３０３Ａとの間に介在させている。
【００１３】
従って施錠部３００は、カバー３０３がロックされた状態で、鍵穴３０３Ａにロック解除鍵３０５が差し込まれると、そのロック解除鍵３０５により識別紙３０６を、あえて穴をあけさせるようにして破損させている。
【００１４】
これにより施錠部３００は、扉を不正に開こうとして、カバー３０３のロックを解除するために鍵穴３０３Ａにロック解除鍵３０５以外の針金等か差し込まれた場合も、識別紙３０６を破損させることができる。
【００１５】
このようにして紙幣収納庫では、係員による紙幣の装填以外で施錠部３００内の識別紙３０６が破損しているか否かにより、扉が不正に開かれた可能性があるかどうかを確認し得るようにしていた（例えば、特許文献１参照）。
【先行技術文献】
【特許文献】
【００１６】
【特許文献１】特開平１１−２０３５３２号公報（第５頁、図８、図９）
【発明の概要】
【発明が解決しようとする課題】
【００１７】
ところで、一般的に、現金自動預払機に着脱可能な紙幣収納庫については、人に触れられる機会がある以上、セキュリティーを向上させることが望まれている。
【００１８】
ところが、係る構成の従来の紙幣収納庫では、扉のロック自体は錠３０２のみで行っている。このため従来の紙幣収納庫では、識別紙３０６を利用して、扉が不正に開かれた可能性があるかどうかを確認させ得るものの、セキュリティーを向上させるには不十分であるという問題があった。
【００１９】
本発明は以上の点を考慮してなされたもので、従来に比してセキュリティーを向上させ得る紙葉類収納庫及び紙葉類取扱装置を提案しようとするものである。
【課題を解決するための手段】
【００２０】
かかる課題を解決するため本発明においては、紙葉類収納庫に、外装ケースと、外装ケースに開閉可能に取り付けられた扉と、外装ケースに対し扉を閉じた状態にロックするための錠と、外装ケース及び扉の少なくとも一方に設けられ、外装ケースに対して閉じられた扉を封かんするための封かん具を取り付けさせるための孔部が穿設された取付板、及び当該取付板に取り付けられた封かん具の少なくとも一部を収納する封かん具収納溝部を有し、封かん具を外装ケースに対し扉を閉じた状態にするように取り付けさせることができる封かん具取付部とを設けるようにした。
【００２１】
従って本発明では、封かん具取付部から封かん具が正規に外されるまでは、封かん具取付部に取付板及び封かん具収納溝部を介して封かん具が取り付けられたままであるかどうかにより、扉が不正に開かれた可能性があるかどうかを容易に確認させることができると共に、錠による扉のロックが不正に解除されても、封かん具により扉をロックし続けることができる。
【発明の効果】
【００２２】
本発明によれば、紙葉類収納庫に、外装ケースと、外装ケースに開閉可能に取り付けられた扉と、外装ケースに対し扉を閉じた状態にロックするための錠と、外装ケース及び扉の少なくとも一方に設けられ、外装ケースに対して閉じられた扉を封かんするための封かん具を取り付けさせるための孔部が穿設された取付板、及び当該取付板に取り付けられた封かん具の少なくとも一部を収納する封かん具収納溝部を有し、封かん具を外装ケースに対し扉を閉じた状態にするように取り付けさせることができる封かん具取付部とを設けるようにしたことにより、封かん具取付部から封かん具が正規に外されるまでは、封かん具取付部に取付板及び封かん具収納溝部を介して封かん具が取り付けられたままであるかどうかにより、扉が不正に開かれた可能性があるかどうかを容易に確認させることができると共に、錠による扉のロックが不正に解除されても、封かん具により扉をロックし続けることができ、かくして従来に比してセキュリティーを向上させ得る紙葉類収納庫及び紙葉類取扱装置を実現することができる。
【図面の簡単な説明】
【００２３】
【図１】本発明による現金自動預払機の外観構成の第１の実施の形態を示す略線的斜視図である。
【図２】第１の実施の形態による現金自動預払機の内部構成を示す略線的側面図である。
【図３】下部ユニットの構成を示す略線的斜視図である。
【図４】メインフレームによる下部ユニットの支持の説明に供する略線的正面図である。
【図５】紙幣処理ユニットにおける下部ユニットの引出及び収納の説明に供する略線的斜視図である。
【図６】第１の実施の形態による紙幣収納庫の構成を示す略線的斜視図である。
【図７】封かん具の構成を示す略線的側面図である。
【図８】紙幣収納庫の封かん具取付部に対する封かん具の取り付けの説明に供する略線的斜視図である。
【図９】ユニット筐体のユニット筐体右側板の高さと、紙幣収納庫に対する封かん具の取付位置との関係を示す略線的正面図である。
【図１０】第１の実施の形態による補助収納庫の構成を示す略線的斜視図である。
【図１１】補助収納庫の封かん具取付部に対する封かん具の取り付けの説明に供する略線的斜視図及び略線的正面図である。
【図１２】ユニット筐体に補助収納庫が収納されたときの封かん具の説明に供する略線的斜視図である。
【図１３】第２の実施の形態による現金自動預払機の内部構成を示す略線的側面図である。
【図１４】下部ユニットの構成を示す略線的斜視図である。
【図１５】メインフレームによる下部ユニットの支持の説明に供する略線的正面図である。
【図１６】紙幣処理ユニットにおける下部ユニットの引出及び収納の説明に供する略線的斜視図である。
【図１７】第２の実施の形態による紙幣収納庫の構成を示す略線的斜視図である。
【図１８】紙幣収納庫のロック機構の説明に供する略線的斜視図である。
【図１９】紙幣収納庫の封かん具取付部に対する封かん具の取り付けの説明に供する略線的斜視図である。
【図２０】第３の実施の形態による現金自動預払機の内部構成を示す略線的側面図である。
【図２１】第３の実施の形態による紙幣収納庫の構成を示す略線的斜視図である。
【図２２】紙幣収納庫の封かん具取付部に対する封かん具の取り付けの説明に供する略線的斜視図である。
【図２３】他の実施の形態による封かん具取付部の構成（１）を示す略線的斜視図及び略線的正面図である。
【図２４】他の実施の形態による封かん具取付部に対する封かん具の取り付け（１）の説明に供する略線的断面図である。
【図２５】扉側取付板の変形の説明に供する略線的斜視図である。
【図２６】他の実施の形態による紙幣収納庫の構成（１）を示す略線的斜視図及び略線的上面図である。
【図２７】他の実施の形態による封かん具取付部に対する封かん具の取り付け（２）の説明に供する略線的背面図である。
【図２８】他の実施の形態による封かん具取付部の構成（２）を示す略線的斜視図である。
【図２９】他の実施の形態による紙幣収納庫の構成（２）を示す略線的斜視図である。
【図３０】他の実施の形態による封かん具取付部に対する封かん具の取り付け（３）の説明に供する略線的斜視図である。
【図３１】他の実施の形態による紙幣収納庫の構成（３）を示す略線的斜視図である。
【図３２】他の実施の形態による紙幣収納庫の構成（４）を示す略線的斜視図である。
【図３３】他の実施の形態による封かん具取付部に対する封かん具の取り付け（４）の説明に供する略線的斜視図である。
【図３４】他の実施の形態による紙幣収納庫の構成（５）を示す略線的斜視図である。
【図３５】外装ケース及び扉の連結の説明に供する略線的斜視図である。
【図３６】他の実施の形態による紙幣収納庫の構成（６）を示す略線的斜視図である。
【図３７】他の実施の形態による封かん具取付部の構成（３）を示す略線的斜視図である。
【図３８】他の実施の形態による封かん具取付部の構成（４）を示す略線的斜視図である。
【図３９】他の実施の形態による封かん具取付部の構成（５）を示す略線的断面図である。
【図４０】他の実施の形態による封かん具取付部の構成（６）を示す略線的断面図である。
【図４１】他の実施の形態による封かん具の構成を示す略線的斜視図である。
【図４２】他の実施の形態による紙幣収納庫の外装ケースの構成を示す略線的側面図である。
【図４３】他の実施の形態による下部ユニットのユニット筐体の構成（１）を示す略線的斜視図である。
【図４４】他の実施の形態による紙幣収納庫の構成（７）を示す略線的斜視図である。
【図４５】他の実施の形態による下部ユニットのユニット筐体の構成（２）を示す略線的斜視図である。
【図４６】他の実施の形態による下部ユニットの構成を示す略線的斜視図である。
【図４７】他の実施の形態による収納庫配置筐体の構成を示す略線的斜視図である。
【図４８】従来の紙幣収納庫に設けられた施錠部の構成（１）を示す略線的斜視図である。
【図４９】従来の紙幣収納庫に設けられた施錠部の構成（２）を示す略線的斜視図である。
【発明を実施するための形態】
【００２４】
以下図面を用いて、発明を実施するための最良の形態（以下、これを実施の形態とも呼ぶ）について説明する。なお、説明は以下の順序で行う。
（１）第１の実施の形態
（２）第２の実施の形態
（３）第３の実施の形態
（４）他の実施の形態
【００２５】
（１）第１の実施の形態
（１−１）現金自動預払機の外観構成
図１において、１は全体として本発明を適用した現金自動預払機の外観構成を示す。かかる現金自動預払機１は、略箱型の筐体（以下、これを預払機筐体とも呼ぶ）２を有している。
【００２６】
因みに、以下の説明では、現金自動預払機１を、預払機筐体２の前面２Ａと対峙して見た場合の図中に矢印ａ１で示す左の方向を、預払機左方向や単に左とも呼び、当該預払機左方向とは逆の方向を、預払機右方向や単に右とも呼ぶ。
【００２７】
また、以下の説明では、現金自動預払機１を、預払機筐体２の前面２Ａと対峙して見た場合の図中に矢印ｂ１で示す上の方向を、預払機上方向や単に上とも呼び、当該預払機上方向とは逆の方向を、預払機下方向や単に下とも呼ぶ。
【００２８】
さらに、以下の説明では、現金自動預払機１を、預払機筐体２の前面２Ａと対峙して見た場合の図中に矢印ｃ１で示す手前の方向を、預払機前方向や単に前とも呼び、当該預払機前方向とは逆の方向を、預払機後方向や単に後とも呼ぶ。
【００２９】
預払機筐体２の前側上端部には、前面２Ａよりも後面２Ｂ側に凹むように略Ｌ字状に形成されたフロントパネル３が設けられている。
【００３０】
フロントパネル３において預払機上方向に向くほぼ水平な上向パネル３Ａには、例えば、左寄りに、種々の操作画像の表示及び表面へのタッチ操作が可能なタッチスクリーン４が設けられている。
【００３１】
またフロントパネル３の上向パネル３Ａには、例えば、右寄りに、長方形の紙幣を投入し、また取り出すための紙幣投入取出部５が設けられている。
【００３２】
一方、フロントパネル３において預払機前方向に向くほぼ垂直な前向パネル３Ｂには、例えば、左寄りに、取引の際に通帳を挿入し、また当該通帳や取引明細書を排出するための通帳挿入排出口７が設けられている。
【００３３】
またフロントパネル３において前向パネル３Ｂには、例えば、右寄りに、取引の際にキャッシュカードやクレジットカード等の種々のカードを挿入及び排出するためのカード挿入排出口８も設けられている。
【００３４】
現金自動預払機１は、係る構成のもと、タッチスクリーン４に操作画像を表示すると共に、顧客によるタッチスクリーン４の表面へのタッチ操作に応じて操作画像を適宜切り換えて表示する。
【００３５】
これにより現金自動預払機１は、顧客に操作画像を介して、現金の預け入れのような入金や払い出しのような出金等の所望の取引の手順を案内する。
【００３６】
そして現金自動預払機１は、顧客に、その案内に従って通帳挿入排出口７やカード挿入排出口８に通帳やカードを挿入させ、また紙幣投入取出部５に入金用の紙幣を投入させる。
【００３７】
また現金自動預払機１は、顧客に、その案内に従って通帳挿入排出口７やカード挿入排出口８から排出した通帳や取引明細書、カードを受け取らせ、紙幣投入取出部５から出金用の紙幣を取り出させる。このようにして現金自動預払機１は、顧客が所望する紙幣の入金や出金等の取引を行うことができる。
【００３８】
（１−２）現金自動預払機の内部構成
次いで、現金自動預払機１の内部構成について説明する。図２に示すように、現金自動預払機１の預払機筐体２内には、当該現金自動預払機１全体を統括制御する制御部１０が収納されると共に、当該制御部１０の制御のもと、紙幣の入金処理及び出金処理等を行う紙幣処理ユニット１１が収納されている。
【００３９】
紙幣処理ユニット１１は、略箱型のメインフレーム１２を有し、そのメインフレーム１２に上部ユニット１３が載置されると共に、当該メインフレーム１２内に下部ユニット１４が収納されている。
【００４０】
上部ユニット１３内には、上向パネル３Ａに対向させて上述の紙幣投入取出部５が配置され、当該紙幣投入取出部５の後斜下に鑑別部１７が配置されると共に、紙幣投入取出部５及び鑑別部１７の後側に一時保留部１８が配置されている。
【００４１】
また下部ユニット１４内には、下寄りに、入金用の紙幣及び出金用の紙幣を金種別に収納する（すなわち、それぞれ特定の１金種の紙幣のみを収納する）複数（例えば、４個）の紙幣収納庫２０乃至２３が、前から後へ順に並べるようにして着脱可能に装着されている。
【００４２】
さらに下部ユニット１４内には、複数の紙幣収納庫２０乃至２３のうち最も後に位置する１個の紙幣収納庫２３のさらに後に、紙幣の入金や出金に補助的に用いる紙幣収納庫（以下、これを補助収納庫とも呼ぶ）２４が着脱可能に装着されている。
【００４３】
因みに、補助収納庫２４は、破損している紙幣や折れ曲がっている紙幣等のような異常な紙幣を収納する紙幣収納庫２４Ａと、紙幣投入取出部５から顧客により取り忘れられた紙幣を収納する紙幣収納庫２４Ｂと、複数の紙幣収納庫２０乃至２３に対して紙幣を補充及び回収するための紙幣収納庫２４Ｃとが、あたかも下から順に積み重ねたように一体化されて形成されている。
【００４４】
なお、以下の説明では、破損している紙幣や折れ曲がっている紙幣等のような異常な紙幣を、特にリジェクト紙幣とも呼び、そのリジェクト紙幣を収納するための紙幣収納庫２４Ａを、特にリジェクト庫２４Ａとも呼ぶ。
【００４５】
また、以下の説明では、紙幣投入取出部５から顧客により取り忘れられた紙幣を、特に取忘紙幣とも呼び、その取忘紙幣を収納するための紙幣収納庫２４Ｂを、特に取忘庫２４Ｂとも呼ぶ。
【００４６】
さらに、以下の説明では、複数の紙幣収納庫２０乃至２３に対して紙幣を補充及び回収するための紙幣収納庫２４Ｃを、特に補充回収庫２４Ｃとも呼ぶ。
【００４７】
これに加え上部ユニット１３内には、紙幣投入取出部５及び鑑別部１７の間に紙幣を、適宜搬送先を切り換えて搬送するための搬送路（以下、これを前側搬送路とも呼ぶ）２５Ａを形成する搬送部（以下、これを処理ユニット前側搬送部とも呼ぶ）２５が配置され、当該前側搬送路２５Ａが紙幣投入取出部５及び鑑別部１７に接続されている。
【００４８】
また上部ユニット１３内には、紙幣投入取出部５、鑑別部１７及び一時保留部１８の間に紙幣を、適宜搬送先を切り換えて搬送するための搬送路（以下、これを後側搬送路とも呼ぶ）２６Ａを形成する搬送部（以下、これを処理ユニット後側搬送部とも呼ぶ）２６が配置され、当該後側搬送路２６Ａが紙幣投入取出部５、鑑別部１７及び一時保留部１８に接続されている。
【００４９】
さらに下部ユニット１４内には、上寄りに紙幣を、適宜搬送先を切り換えて搬送するための搬送路（以下、これを下側搬送路とも呼ぶ）２７Ａを形成する搬送部（以下、これを処理ユニット下側搬送部とも呼ぶ）２７が配置され、当該下側搬送路２７Ａが複数の紙幣収納庫２０乃至２３、補助収納庫２４、前側搬送路２５Ａ及び後側搬送路２６Ａに接続されている。
【００５０】
そして紙幣処理ユニット１１では、例えば、前側搬送路２５Ａ、後側搬送路２６Ａ及び下側搬送路２７Ａを介して長方形の紙幣を、一方の短辺を左側に位置させ、かつ他方の短辺を右側に位置させて（すなわち、紙幣の長手方向を預払機左方向とほぼ平行にして）一方の長辺を搬送方向に向けた搬送姿勢で搬送する。
【００５１】
なお、以下の説明では、紙幣の長手方向を、紙幣長手方向とも呼び、当該紙幣の短手方向を、紙幣短手方向とも呼ぶ。
【００５２】
よって紙幣処理ユニット１１では、紙幣投入取出部５、鑑別部１７、一時保留部１８、複数の紙幣収納庫２０乃至２３、補助収納庫２４（リジェクト庫２４Ａ、取忘庫２４Ｂ及び補充回収庫２４Ｃ）において紙幣を、その搬送姿勢に応じて一方の短辺を左側に位置させ、かつ他方の短辺を右側に位置させた（すなわち、紙幣長手方向を預払機左方向とほぼ平行にした）姿勢で取り扱っている。
【００５３】
実際に制御部１０は、紙幣の入金処理時、顧客により紙幣投入取出部５に入金用の１又は複数の紙幣が投入されると、当該紙幣投入取出部５から１又は複数の紙幣を、１枚ずつ繰り出し前側搬送路２５Ａを介して鑑別部１７へ搬送して、当該鑑別部１７において、その紙幣の金種や状態等を鑑別させる。
【００５４】
その結果、制御部１０は、鑑別部１７から正常であると鑑別されて繰り出された紙幣については、後側搬送路２６Ａを介して一時保留部１８へ搬送して一時的に保持させることにより、当該紙幣の入金を保留する。
【００５５】
また制御部１０は、鑑別部１７から破損や折れ等により異常であると鑑別されて繰り出された紙幣については、リジェクト紙幣として後側搬送路２６Ａを介して紙幣投入取出部５へ搬送することにより、顧客に当該紙幣投入取出部５から取り出させるようにして返却する。
【００５６】
このようにして制御部１０は、鑑別部１７において、紙幣投入取出部５内に投入された入金用の紙幣が全て鑑別されると、正常であると鑑別された紙幣の総額（すなわち、入金の金額）を、タッチスクリーン４を介して顧客に提示する。
【００５７】
その結果、制御部１０は、入金の金額を確認した顧客によりタッチスクリーン４を介して紙幣の入金が指示されると、一時保留部１８から一時的に保持していた紙幣を、１枚ずつ繰り出し後側搬送路２６Ａを介して鑑別部１７へ搬送して、当該鑑別部１７において再び、その紙幣の金種や状態等を鑑別させる。
【００５８】
そして制御部１０は、鑑別部１７から正常であると鑑別されて繰り出された紙幣については、前側搬送路２５Ａ及び下側搬送路２７Ａを順次介して当該紙幣の金種に応じた紙幣収納庫２０乃至２３へ搬送して収納する。
【００５９】
ただし、制御部１０は、この際、鑑別部１７から異常であると鑑別されて繰り出された紙幣については、リジェクト紙幣として前側搬送路２５Ａ及び下側搬送路２７Ａを順次介して補助収納庫２４へ搬送してリジェクト庫２４Ａへ収納することにより、その後の出金処理には用いないようにする。
【００６０】
因みに、制御部１０は、この際、紙幣投入取出部５へ戻したリジェクト紙幣を顧客が取り忘れて立ち去ると、当該紙幣投入取出部５から、そのリジェクト紙幣を取忘紙幣として１枚ずつ繰り出し前側搬送路２５Ａを介して鑑別部１７へ搬送して金種や状態等を改めて鑑別した後、さらに後側搬送路２６Ａ及び下側搬送路２７Ａを順次介して補助収納庫２４へ搬送することにより取忘庫２４Ｂへ収納する。
【００６１】
制御部１０は、このようにして紙幣処理ユニット１１において紙幣の入金処理を実行して、顧客の所望する取引としての紙幣の入金を行うことができる。
【００６２】
一方、制御部１０は、紙幣の出金処理時、例えば、顧客によりタッチスクリーン４を介して出金の金額が指定されると、紙幣収納庫２０乃至２３から、当該顧客により指定された金額分の紙幣を１枚ずつ繰り出し下側搬送路２７Ａ及び前側搬送路２５Ａを順次介して鑑別部１７へ搬送して、当該鑑別部１７において紙幣の金種や状態等を鑑別させる。
【００６３】
その結果、制御部１０は、鑑別部１７から正常であると鑑別されて繰り出された紙幣については、後側搬送路２６Ａを介して紙幣投入取出部５へ搬送する。
【００６４】
ただし、制御部１０は、この際、鑑別部１７から異常であると鑑別されて繰り出された紙幣については、リジェクト紙幣として後側搬送路２６Ａ及び下側搬送路２７Ａを順次介して補助収納庫２４へ搬送してリジェクト庫２４Ａへ収納することにより、その後の出金処理には用いないようにする。
【００６５】
そして制御部１０は、紙幣投入取出部５に、出金用に指定された金額分の紙幣を搬送し終えると、顧客に当該紙幣投入取出部５から、その出金用に指定された金額分の紙幣を取り出させるようにして引き渡す。
【００６６】
因みに、制御部１０は、この際、紙幣投入取出部５に顧客により取り忘れられた紙幣があると、当該紙幣投入取出部５から、その紙幣を取忘紙幣として１枚ずつ繰り出し前側搬送路２５Ａを介して鑑別部１７へ搬送して金種や状態等を改めて鑑別した後、さらに後側搬送路２６Ａ及び下側搬送路２７Ａを順次介して補助収納庫２４へ搬送することにより取忘庫２４Ｂへ収納する。
【００６７】
制御部１０は、このようにして紙幣処理ユニット１１において紙幣の出金処理を実行して、顧客の所望する取引としての紙幣の出金を行うことができる。
【００６８】
また制御部１０は、紙幣の補充処理時、補助収納庫２４の補充回収庫２４Ｃから紙幣を１枚ずつ繰り出し下側搬送路２７Ａ及び後側搬送路２６Ａを順次介して鑑別部１７へ搬送して、当該鑑別部１７において紙幣の金種や状態等を鑑別させる。
【００６９】
その結果、制御部１０は、鑑別部１７から正常であると鑑別されて繰り出された紙幣については、前側搬送路２５Ａ及び下側搬送路２７Ａを順次介して、その金種に応じた紙幣収納庫２０乃至２３へ搬送して収納する。
【００７０】
ただし、制御部１０は、この際、鑑別部１７から異常であると鑑別されて繰り出された紙幣については、リジェクト紙幣として前側搬送路２５Ａ及び下側搬送路２７Ａを順次介して補助収納庫２４へ戻すように搬送してリジェクト庫２４Ａに収納する。
【００７１】
制御部１０は、このようにして紙幣処理ユニット１１において紙幣の補充処理を実行して、複数の紙幣収納庫２０乃至２３に出金処理に用いる紙幣を補充することができる。
【００７２】
さらに制御部１０は、紙幣の回収処理時、紙幣収納庫２０乃至２３から紙幣を１枚ずつ繰り出し下側搬送路２７Ａ及び前側搬送路２５Ａを順次介して鑑別部１７へ搬送して、当該鑑別部１７において紙幣の金種や状態等を鑑別させる。
【００７３】
その結果、制御部１０は、鑑別部１７から正常であると鑑別されて繰り出された紙幣については、後側搬送路２６Ａ及び下側搬送路２７Ａを順次介して補助収納庫２４へ搬送して補充回収庫２４Ｃに収納する。
【００７４】
ただし、制御部１０は、この際、鑑別部１７から異常であると鑑別されて繰り出された紙幣については、リジェクト紙幣として後側搬送路２６Ａ及び下側搬送路２７Ａを順次介して補助収納庫２４へ搬送してリジェクト庫２４Ａに収納する。
【００７５】
制御部１０は、このようにして紙幣処理ユニット１１において紙幣の回収処理を実行して、複数の紙幣収納庫２０乃至２３から紙幣を回収することができる。
【００７６】
ところで、預払機筐体２には、紙幣処理ユニット１１が図示しないレールガイド及びスライドレールを介して前後にスライド可能に取り付けられている。
【００７７】
これにより預払機筐体２は、紙幣処理ユニット１１を例えば、当該預払機筐体２から前側（すなわち、前面２Ａよりも前）へ引き出させ、また預払機筐体２に押し込むようにして収納させることができる。
【００７８】
また図３（Ａ）及び（Ｂ）に示すように、下部ユニット１４は、前後に長い略箱型のユニット筐体３２を有している。
【００７９】
ユニット筐体３２は、左側板（以下、これをユニット筐体左側板とも呼ぶ）３２Ａの上端に、前後に長いレール配置板３２ＡＸが預払機左方向に張り出すように設けられている。
【００８０】
またユニット筐体３２は、ユニット筐体左側板３２Ａの高さよりも右側板（以下、これをユニット筐体右側板とも呼ぶ）３２Ｂの高さが低く形成され、当該ユニット筐体左側板３２Ａの上端から、ユニット筐体右側板３２Ｂの上端までに亘り開口部３２Ｃが形成されている。
【００８１】
さらにユニット筐体３２は、底面に、紙幣収納庫２０乃至２３及び補助収納庫２４の収納庫配置位置を規定するための複数の仕切板３２Ｄが前から後にかけて所定間隔で垂設されている。
【００８２】
これにより下部ユニット１４は、ユニット筐体３２内の複数の収納庫配置位置に紙幣収納庫２０乃至２３及び補助収納庫２４をそれぞれ後述する扉を預払機後方向へ向けた姿勢で、複数の仕切板３２Ｄによって位置決めして配置することができる。
【００８３】
さらにユニット筐体３２には、レール配置板３２ＡＸの上面に設けられた前後２個のヒンジ部３６を介して（すなわち、預払機前方向と平行なヒンジ軸を中心にして）処理ユニット下側搬送部２７が、開口部３２Ｃにおいて当該ユニット筐体３２の上端部分を閉塞し、また開放するように開閉可能に取り付けられている。
【００８４】
これにより下部ユニット１４は、ユニット筐体３２に対する処理ユニット下側搬送部２７の開閉に応じて、下側搬送路２７Ａを紙幣収納庫２０乃至２３及び補助収納庫２４とそれぞれ接続し、また切り離すことができる。
【００８５】
そして図４に示すように、紙幣処理ユニット１１においてメインフレーム１２は、左側面の内面上寄りの所定位置に、左レールガイド３０が、その長手方向を預払機前方向と平行にして配置されると共に、右側面の内面下寄りの所定位置に、右レールガイド３１が、その長手方向を預払機前方向と平行にして配置されている。
【００８６】
また下部ユニット１４は、ユニット筐体３２においてレール配置板３２ＡＸの下面に左スライドレール３３が、その長手方向を預払機前方向と平行にして配置されると共に、ユニット筐体右側板３２Ｂの外面の下寄りに右スライドレール３４が、その長手方向を預払機前方向と平行にして配置されている。
【００８７】
そして下部ユニット１４は、左スライドレール３３及び右スライドレール３４が、メインフレーム１２の左レールガイド３０及び右レールガイド３１に係合されている。
【００８８】
よってメインフレーム１２は、下部ユニット１４を、左レールガイド３０及び右レールガイド３１並びに左スライドレール３３及び右スライドレール３４を介して前後にスライド可能に支持している。
【００８９】
これにより図５に示すように、紙幣処理ユニット１１は、預払機筐体２から前側に引き出された状態（又は、預払機筐体２に収納された状態）で、メインフレーム１２から下部ユニット１４を前側へ引き出させ、またメインフレーム１２に押し込むようにして収納させることができる。
【００９０】
実際に紙幣処理ユニット１１は、紙幣収納庫２０乃至２３及び補助収納庫２４が装着された（すなわち、ユニット筐体３２内に紙幣収納庫２０乃至２３及び補助収納庫２４が配置された）下部ユニット１４がメインフレーム１２から引き出され、ユニット筐体３２に対して処理ユニット下側搬送部２７が開かれると、紙幣収納庫２０乃至２３及び補助収納庫２４から下側搬送路２７Ａを切り離す。
【００９１】
これにより紙幣処理ユニット１１は、ユニット筐体３２内の複数の収納庫配置位置から紙幣収納庫２０乃至２３及び補助収納庫２４を、上側や右斜上側へ引き抜かせるようにして取り出させることができる。
【００９２】
そして紙幣処理ユニット１１は、このように下部ユニット１４から取り出された紙幣収納庫２０乃至２３及び補助収納庫２４については、特定の紙幣装填場所へ運搬させて当該紙幣収納庫２０乃至２３及び補助収納庫２４に対し複数の紙幣を装填させ、またリジェクト紙幣や取忘紙幣を取り出させることができる。
【００９３】
また紙幣処理ユニット１１は、下部ユニット１４から紙幣収納庫２０乃至２３及び補助収納庫２４が取り出された状態では、ユニット筐体３２内の複数の収納庫配置位置に、紙幣装填場所で複数の紙幣が装填され、またリジェクト紙幣や取忘紙幣が取り出された紙幣収納庫２０乃至２３及び補助収納庫２４を上側や右斜上側から差し込ませるようにして収納させることができる。
【００９４】
そのうえで紙幣処理ユニット１１は、下部ユニット１４においてユニット筐体３２に対し処理ユニット下側搬送部２７が閉じられると、下側搬送路２７Ａを紙幣収納庫２０乃至２３及び補助収納庫２４に接続することができる。
【００９５】
このようにして紙幣処理ユニット１１は、下部ユニット１４に紙幣収納庫２０乃至２３及び補助収納庫２４を装着させることができ、この状態で下部ユニット１４をメインフレーム１２に押し込むようにして収納させることができる。
【００９６】
因みに、下部ユニット１４は、メインフレーム１２に収納されると、下側搬送路２７Ａを前側搬送路２５Ａ及び後側搬送路２６Ａに接続し、またメインフレーム１２から引き出されると、下側搬送路２７Ａを前側搬送路２５Ａ及び後側搬送路２６Ａから切り離す。
【００９７】
（１−３）紙幣収納庫の構成
次いで、複数の紙幣収納庫２０乃至２３、及び補助収納庫２４の構成について順番に説明する。ただし、複数の紙幣収納庫２０乃至２３は、同様に構成されているため、１個の紙幣収納庫２０の構成についてのみ説明し、他の紙幣収納庫２１乃至２３の構成については説明を省略する。
【００９８】
まず、図６（Ａ）及び（Ｂ）に示すように、紙幣収納庫２０は、金属板により上下に長い略直方体状に形成された外装ケース４０を有している。
【００９９】
因みに、以下の説明では、外装ケース４０の正面４０Ａを、ケース正面４０Ａとも呼ぶ。そして、以下の説明では、紙幣収納庫２０を、ケース正面４０Ａと対峙して見た場合の図中に矢印ａ２で示す左の方向を、収納庫左方向や単に左とも呼び、当該収納庫左方向とは逆の方向を、収納庫右方向や単に右とも呼ぶ。
【０１００】
また、以下の説明では、紙幣収納庫２０を、ケース正面４０Ａと対峙して見た場合の図中に矢印ｂ２で示す上の方向を、収納庫上方向や単に上とも呼び、当該収納庫上方向とは逆の方向を、収納庫下方向や単に下とも呼ぶ。
【０１０１】
さらに、以下の説明では、紙幣収納庫２０を、ケース正面４０Ａと対峙して見た場合の図中に矢印ｃ２で示す手前の方向を、収納庫前方向や単に前とも呼び、当該収納庫前方向とは逆の方向を、収納庫後方向や単に後とも呼ぶ。
【０１０２】
紙幣収納庫２０において外装ケース４０の上面（以下、これをケース上面とも呼ぶ）４０Ｂには、後寄りに、収納庫左方向と平行なスリット状の紙幣取込繰出口４０ＢＸが形成されている。
【０１０３】
また外装ケース４０のケース上面４０Ｂには、中央部に略コ字状の溝部が形成され、当該溝部に、紙幣収納庫２０の着脱や運搬の際等に利用可能な略コ字状の取手４１が収納及び引出可能に取り付けられている。
【０１０４】
さらに外装ケース４０のケース正面４０Ａには、中央部に、内部へ紙幣を装填する（また、内部から紙幣を取り出す）ための略長方形状の開口部４０ＡＸが形成されている。
【０１０５】
さらに外装ケース４０のケース正面４０Ａには、例えば、右端部に設けられた図示しない一対のヒンジ部を介して、略長方形状の金属板によって形成された扉４２が、その外面４２Ａをケース正面４０Ａと面一にして開口部４０ＡＸを閉塞し、また当該開口部４０ＡＸを開放するように開閉可能に（すなわち、この場合は右開で）取り付けられている。
【０１０６】
そして扉４２には、左端中央部に、ディンプルキー等の鍵（図示せず）に対応するシリンダ錠のような錠４３が、鍵穴の形成された一端面を当該扉４２の外面４２Ａから露出させ、他端部を扉４２の内面４２Ｂから突出させて取り付けられている。
【０１０７】
因みに、以下の説明では、扉４２の外面４２Ａを、扉外面４２Ａとも呼び、当該扉４２の内面４２Ｂを、扉内面４２Ｂとも呼ぶ。
【０１０８】
また錠４３の他端部には、細長い金属板でなるロックレバー４４が扉内面４２Ｂと平行にして取り付けられている。
【０１０９】
これにより錠４３は、鍵が鍵穴に差し込まれて当該錠４３の中心軸を中心にして一回転方向、及びこれとは逆の他回転方向へ回転操作されると、その回転操作に連動させてロックレバー４４を扉内面４２Ｂと平行にしたまま、一回転方向及び他回転方向へ回転させる。
【０１１０】
さらに外装ケース４０は、ケース正面４０Ａの左端部の裏側に、金属板でなるロックプレート４５が、その一部を開口部４０ＡＸ内に突出させて取り付けられている。
【０１１１】
因みに、以下の説明では、ロックプレート４５において開口部４０ＡＸ内に突出する一部を、プレート突出部とも呼ぶ。
【０１１２】
また、以下の説明では、ロックプレート４５の収納庫前方向を向いた一面においてプレート突出部の部分を、プレート突出部前面とも呼び、当該ロックプレート４５の収納庫後方向を向いた他面においてプレート突出部の部分を、プレート突出部後面とも呼ぶ。
【０１１３】
これにより紙幣収納庫２０は、外装ケース４０に対し扉４２が閉じられた場合、当該扉４２の扉内面４２Ｂの左端中央部（すなわち、錠４３の他端部の左側の部分）を、例えば、ロックプレート４５のプレート突出部前面に押し付けさせて、扉外面４２Ａをケース正面４０Ａと面一にする。
【０１１４】
この状態で紙幣収納庫２０は、錠４３の鍵穴に鍵が差し込まれて例えば、他回転方向へ回転操作されると、ロックレバー４４を他回転方向へ回転させて、当該ロックレバー４４の先端部をロックプレート４５のプレート突出部後面と近接させる。
【０１１５】
すなわち、紙幣収納庫２０は、このように錠４３の鍵穴に差し込まれた鍵が例えば、他回転方向へ回転操作されると、ロックプレート４５のプレート突出部を、扉４２とロックレバー４４の先端部とで挟み込む。
【０１１６】
そして紙幣収納庫２０は、このようにロックプレート４５のプレート突出部を、扉４２とロックレバー４４の先端部とで挟み込んだまま、錠４３の鍵穴から鍵が抜き取られると、外装ケース４０に対し扉４２を閉じた状態（すなわち、開口部４０ＡＸを完全に密閉した状態）にロックする（すなわち、開かないようにする）ことができる。
【０１１７】
また紙幣収納庫２０は、外装ケース４０に対し扉４２をロックした状態で錠４３の鍵穴に鍵が差し込まれて例えば、一回転方向へ回転操作されると、ロックレバー４４を一回転方向へ回転させて、当該ロックレバー４４の先端部をロックプレート４５のプレート突出部後面と対向する位置から右側へ退避させる。
【０１１８】
これにより紙幣収納庫２０は、外装ケース４０に対する扉４２のロックを解除して、当該外装ケース４０に対し扉４２を開かせて開口部４０ＡＸを開放することができ、かくして内部に複数の紙幣を装填させ、また内部から紙幣を取り出させることができる。
【０１１９】
係る構成に加え紙幣収納庫２０は、外装ケース４０に対し扉４２が閉じられていることを示し、かつ当該外装ケース４０に対し扉４２を閉じた状態にロックするように封かんするための例えば、結束バンドでなる封かん具を、外装ケース４０に対し扉４２が閉じられていることを示し、かつ当該外装ケース４０に対し扉４２を閉じた状態にロックするように取り付けさせる封かん具取付部４６が設けられている。
【０１２０】
この場合、封かん具取付部４６は、扉４２に設けられた略短冊状の扉側取付板４２Ｃを有している。扉側取付板４２Ｃは、扉４２の左側面の中央部に、当該左側面の向く方向（例えば、収納庫左方向）に突設され、当該扉４２と一体に成形されている。
【０１２１】
また封かん具取付部４６は、外装ケース４０に設けられた略短冊状の金属板でなるケース側取付板４７も有している。
【０１２２】
さらに外装ケース４０には、封かん具取付部４６として、ケース正面４０Ａの左端中央部に、扉側取付板４２Ｃに対応させて溝部（以下、これをケース溝部とも呼ぶ）４０ＡＹが形成されている。
【０１２３】
そしてケース側取付板４７は、ケース溝部４０ＡＹの底に根元部が接合され、先端部を外装ケース４０の左側面（以下、これをケース左側面とも呼ぶ）４０Ｃよりも収納庫左方向へ突出させている。
【０１２４】
ここで、外装ケース４０は、ケース正面４０Ａからケース溝部４０ＡＹ内のケース側取付板４７の一面（すなわち、収納庫前方向を向いた面）までの深さが、扉側取付板４２Ｃの厚みと等しく、又はその厚みよりも僅かに深く選定されている。
【０１２５】
これにより扉側取付板４２Ｃは、外装ケース４０に対し扉４２が閉じられた場合、ケース溝部４０ＡＹに入り込んで、内面（すなわち、扉内面４２Ｂの扉側取付板４２Ｃの部分）をケース側取付板４７の一面と接触させ、又は近接させる。
【０１２６】
すなわち、扉側取付板４２Ｃは、外装ケース４０に対し扉４２が閉じられた場合、ケース溝部４０ＡＹに入り込むことで、扉外面４２Ａをケース正面４０Ａと面一にして、上述した錠４３による扉４２のロックを妨げないようにしている。
【０１２７】
そして扉側取付板４２Ｃは、その長さが、先端部をケース左側面４０Ｃよりも収納庫左方向へ所定長さだけ突出させるように選定されており、当該先端部にバンド挿入孔部４２ＣＸが穿設されている。
【０１２８】
またケース側取付板４７は、その長さが、扉側取付板４２Ｃとほぼ等しく選定されている。そしてケース側取付板４７は、ケース左側面４０Ｃから収納庫左方向に突出する先端部にバンド挿入孔部４７Ａが、外装ケース４０に対し扉４２が閉じられたときに扉側取付板４２Ｃのバンド挿入孔部４２ＣＸと対向するように穿設されている。
【０１２９】
これにより封かん具取付部４６は、外装ケース４０に対し扉４２が閉じられた場合、ケース側取付板４７と扉側取付板４２Ｃとを接触させ、又は近接させて、当該ケース側取付板４７のバンド挿入孔部４７Ａと扉側取付板４２Ｃのバンド挿入孔部４２ＣＸとをあたかも１つの孔部のように接触させ、又は近接させる。
【０１３０】
ここで、図７（Ａ）及び（Ｂ）に示すように、封かん具５０は、例えば、所定の長さのバンド部５０Ａの一端に略角筒状のヘッド部５０Ｂが、当該一端をヘッド部５０Ｂの孔の一方の開口部寄りに接合して設けられ、当該バンド部５０Ａ及びヘッド部５０Ｂが所定の樹脂材により一体成形されている。
【０１３１】
因みに、以下の説明では、封かん具５０のヘッド部５０Ｂにおいてバンド部５０Ａが、その一端を接合するようにして設けられた側を、バンド接合側とも呼ぶ。
【０１３２】
また封かん具５０のバンド部５０Ａは、裏面５０ＡＸに、当該バンド部５０Ａの長手方向に沿って所定ピッチで鋸の歯のような複数の刻み目が形成されている。
【０１３３】
さらに封かん具５０のヘッド部５０Ｂは、孔内に略短冊状の爪形成板５０ＢＸが、その根元部を当該孔の一方の開口部のバンド接合側に接合するようにして設けられ、爪形成板５０ＢＸの先端に形成された爪を、孔の他方の開口部付近でバンド接合側とは反対側に向けている。
【０１３４】
そして封かん具５０は、バンド部５０Ａが裏面５０ＡＸを内側にして環状に屈曲されてヘッド部５０Ｂの孔に一方の開口部側から差し込まれると、当該バンド部５０Ａの裏面５０ＡＸの刻み目を爪形成板５０ＢＸの爪に係合させる。
【０１３５】
この際、封かん具５０は、ヘッド部５０Ｂの孔に差し込まれたバンド部５０Ａが、その差込方向へ押されると、バンド部５０Ａにより爪形成板５０ＢＸの先端部をバンド接合側へ押すようにして変位させて孔の内壁と爪形成板５０ＢＸとの間隔を広げる。
【０１３６】
これにより封かん具５０は、ヘッド部５０Ｂの孔にバンド部５０Ａを所望の長さだけ差し込ませることができる。
【０１３７】
ただし、封かん具５０は、ヘッド部５０Ｂの孔に差し込まれたバンド部５０Ａが差込方向とは逆の方向へ引っ張られると、バンド部５０Ａの刻み目が爪形成板５０ＢＸの爪に引っ掛かり、当該爪形成板５０ＢＸの先端部をバンド接合側とは反対側へ変位させて孔の内壁と爪形成板５０ＢＸとの間隔を狭める。
【０１３８】
これにより封かん具５０は、バンド部５０Ａの刻み目に爪形成板５０ＢＸの爪を引っ掛けたまま、当該バンド部５０Ａを孔の内壁と爪形成板５０ＢＸとにより強固に挟み込んで、ヘッド部５０Ｂの孔からバンド部５０Ａを引き抜けないようにしている。
【０１３９】
よって図８に示すように、紙幣収納庫２０は、外装ケース４０に対し扉４２が閉じられた状態で封かん具５０のバンド部５０Ａをケース側取付板４７のバンド挿入孔部４７Ａ及び扉側取付板４２Ｃのバンド挿入孔部４２ＣＸに順に通させた後、ヘッド部５０Ｂの孔に差し込ませる。
【０１４０】
これにより紙幣収納庫２０は、封かん具取付部４６において封かん具５０によりケース側取付板４７に扉側取付板４２Ｃをバンド挿入孔部４７Ａ、４２ＣＸを介して縛り付けるようにして、当該封かん具取付部４６に封かん具５０を取り付けさせる。
【０１４１】
このようにして紙幣収納庫２０は、外装ケース４０に対し扉４２が閉じられた状態で、封かん具取付部４６に封かん具５０を、外装ケース４０の周囲から視認可能な状態に取り付けさせ、当該封かん具５０により外装ケース４０に対して扉４２を封かんすることができる。
【０１４２】
ところで、封かん具５０は、バンド部５０Ａをヘッド部５０Ｂの孔に差し込むと、当該バンド部５０Ａに人が直接引っ張り、又は何らかの道具を利用して間接的に引っ張るような力を加えても、このようにして加える力の程度では、バンド部５０Ａをヘッド部５０Ｂの孔から引き抜くことはできないように形成されている。
【０１４３】
このため紙幣収納庫２０では、封かん具取付部４６に封かん具５０が取り付けられると、その後は封かん具５０を、ニッパやプライヤ等のような切断機能を有する工具の何れかを用いてバンド部５０Ａを切断させるようにして故意に破損させなければ、封かん具取付部４６から外すことはできない。
【０１４４】
因みに、以下の説明では、封かん具５０のバンド部５０Ａを切断可能なニッパやプライヤ等のような切断機能を有する工具を、切断工具とも呼ぶ。
【０１４５】
従って紙幣収納庫２０は、紙幣装填場所で紙幣の装填用に扉４２が開かれる場合、係員に、封かん具取付部４６に取り付けられていた封かん具５０を、切断工具を用いてバンド部５０Ａを破損（切断）させるようにして封かん具取付部４６から外させる。
【０１４６】
また紙幣収納庫２０は、係員に、錠４３の鍵穴に差し込まれた鍵の回転操作により外装ケース４０に対する扉４２のロックを解除させて、その扉４２を開かせ、当該外装ケース４０の内部に複数の紙幣を装填させる。
【０１４７】
そのうえで紙幣収納庫２０は、係員に、扉４２を閉じさせて、錠４３の鍵穴に差し込まれた鍵の回転操作により外装ケース４０に対し扉４２を閉じた状態にロックさせると共に、封かん具取付部４６に封かん具５０を取り付けさせて、当該封かん具５０により外装ケース４０に対して扉４２を封かんさせる。
【０１４８】
このようにして紙幣収納庫２０は、紙幣装填場所で紙幣が装填される毎に、係員に、扉４２を開くために封かん具５０を破損させ、また扉４２を閉じた後には、再び封かん具５０を取り付けさせている。
【０１４９】
そして封かん具５０は、紙幣収納庫２０の封かん具取付部４６に取り付けられている間は外装ケース４０の周囲から視認可能であるため、当該外装ケース４０に対して扉４２が閉じられていることを、一目で認識可能なように示すことができる。
【０１５０】
従って紙幣収納庫２０は、紙幣装填場所での紙幣の装填の際に封かん具５０が、係員が正規に破損させる前に破損していなければ、当該係員に外装ケース４０に対し扉４２が開かれていないと判断させることができる。
【０１５１】
また紙幣収納庫２０は、紙幣装填場所での紙幣の装填の際に封かん具５０が、係員が正規に破損させる前にすでに破損していれば、当該係員に外装ケース４０に対し扉４２が不正に開かれた可能性があると判断させることができる。
【０１５２】
このようにして紙幣収納庫２０は、紙幣装填場所での紙幣の装填の際、係員が正規に封かん具５０を破損させる前にすでに破損しているか否かにより、係員に対し、扉４２が不正に開かれた可能性があるかどうかを容易に確認させることができる。
【０１５３】
ところで、封かん具５０は、上述のように封かん具取付部４６に取り付けられると、切断工具を用いて破損させなければ、封かん具取付部４６から外すことはできない。
【０１５４】
よって封かん具５０は、外装ケース４０に対し扉４２が閉じられた状態で封かん具取付部４６に取り付けられると、外装ケース４０に対して扉４２を閉じた状態にロックすることができる。
【０１５５】
すなわち、紙幣収納庫２０は、一般に普及している複数種類の工具の中に封かん具５０のバンド部５０Ａを切断可能な切断工具が幾つかあるため、特定の１個の鍵を使用して錠４３により扉４２をロックし、またロックを解除する場合に比べて簡易ではあるものの、その封かん具５０によっても扉４２をロックすることができる。
【０１５６】
ただし、紙幣収納庫２０は、扉４２の扉内面４２Ｂに金属製の補強板が、当該扉内面４２Ｂ全体や錠４３が設けられている側の端部（この場合は、扉内面４２Ｂの左端部の上面から下面までに亘る部分）等のように、少なくとも錠４３の他端部が位置する部分及びロックレバー４４の可動範囲以上に取り付けられている。
【０１５７】
また紙幣収納庫２０は、ロックプレート４５が容易には変形しないような厚みに選定されると共に、当該ロックプレート４５が外装ケース４０に対し比較的径の太い金属製のボルトを用いる等して容易には脱落しないように強固に取り付けられている。
【０１５８】
すなわち、紙幣収納庫２０は、一般的な紙幣収納庫と同じように、外装ケース４０及び扉４２においてロックレバー４４の付近は比較的堅固に形成されている。
【０１５９】
そして紙幣収納庫２０は、このように外装ケース４０及び扉４２において比較的堅固に形成されている部分、すなわちロックレバー４４の近傍に封かん具取付部４６が設けられている。
【０１６０】
さらに封かん具５０は、上述のように人が加える力ではバンド部５０Ａをヘッド部５０Ｂの孔から引き抜くことはできないように形成されている。
【０１６１】
このため紙幣収納庫２０は、封かん具５０による扉４２のロックが錠４３によるロックより簡易であるとは言っても、当該封かん具５０が切断されなければ、その封かん具５０により扉４２を強固にロックし続けることができる。
【０１６２】
例えば、紙幣収納庫２０は、仮に錠４３による扉４２のロックがピッキング等により不正に解除されたとしても、封かん具５０が切断されていなければ、外装ケース４０と扉４２との隙間にバールの先端等を差し込むようにして当該扉４２をこじ開けようとしても、当該封かん具５０により扉４２をロックし続けることができる。
【０１６３】
なお、図９に示すように、この実施の形態の場合、下部ユニット１４は、例えば、ユニット筐体３２に紙幣収納庫２０を、扉４２を後に向けて収納させるようにして（他の紙幣収納庫２１乃至２３及び補助収納庫２４も同様に）装着されている。
【０１６４】
よって紙幣収納庫２０（他の紙幣収納庫２１乃至２３）は、ユニット筐体３２に収納された場合、封かん具取付部４６と共に、これに取り付けられた封かん具５０をユニット筐体右側板３２Ｂ側に位置させている。
【０１６５】
このため下部ユニット１４は、ユニット筐体３２において、ユニット筐体右側板３２Ｂの高さ（図中にｈで示す高さ）が、紙幣収納庫２０の封かん具取付部４６の高さ位置（すなわち、外装ケース４０の底面から封かん具取付部４６までの高さ）よりも低く選定されている。
【０１６６】
これにより下部ユニット１４は、ユニット筐体３２に紙幣収納庫２０（他の紙幣収納庫２１乃至２３）が収納される場合、封かん具取付部４６と共に、これに取り付けられている封かん具５０をユニット筐体右側板３２Ｂの上端よりも上側に位置させて、当該紙幣収納庫２０（他の紙幣収納庫２１乃至２３）の収納の妨げにならないようにしている。
【０１６７】
次いで、補助収納庫２４の構成について説明する。因みに、以下には、補助収納庫２４の構成を、図６（Ａ）及び（Ｂ）を用いて紙幣収納庫２０の構成を説明した場合に定義した方向（すなわち、収納庫左方向や収納庫前方向等）を適用して説明する。
【０１６８】
図１０に示すように、補助収納庫２４は、上述した紙幣収納庫２０の外装ケース４０と等しい高さを有するように、金属板により上下に長い略直方体状に形成された外装ケース５５を有している。
【０１６９】
補助収納庫２４において外装ケース５５のケース上面５５Ａには、上述した紙幣収納庫２０の場合と同様に、スリット状の紙幣取込繰出口５５ＡＸが形成されると共に、略コ字状の溝部を利用して略コ字状の取手５６が収納及び引出可能に取り付けられている。
【０１７０】
また外装ケース５５のケース正面５５Ｂには、例えば、下端部のリジェクト庫２４Ａに相当する部分に対応させて、その内部から個別にリジェクト紙幣を取り出すための略四角形の開口部が形成されている。
【０１７１】
そして外装ケース５５のケース正面５５Ｂには、リジェクト庫２４Ａに相当する部分に対応させて右端部に設けられた図示しない一対のヒンジ部を介して、略四角形状の金属板によって形成された扉５７が、扉外面５７Ａをケース正面５５Ｂと面一にして開口部を閉塞し、また当該開口部を開放するように開閉可能に（すなわち、この場合は右開で）取り付けられている。
【０１７２】
さらに外装ケース５５のケース正面５５Ｂには、例えば、中央部の取忘庫２４Ｂに相当する部分に対応させて、その内部から個別に取忘紙幣を取り出すための略四角形の開口部が形成されている。
【０１７３】
そして外装ケース５５のケース正面５５Ｂには、取忘庫２４Ｂに相当する部分に対応させて右端部に設けられた図示しない一対のヒンジ部を介して、略四角形状の金属板によって形成された扉５８が、扉外面５８Ａをケース正面５５Ｂと面一にして開口部を閉塞し、また当該開口部を開放するように開閉可能に（すなわち、この場合は右開で）取り付けられている。
【０１７４】
さらに外装ケース５５のケース正面５５Ｂには、例えば、上端部の補充回収庫２４Ｃに相当する部分に対応させて、その内部に個別に紙幣を装填し、又は当該内部から個別に紙幣を取り出すための略四角形の開口部が形成されている。
【０１７５】
そして外装ケース５５のケース正面５５Ｂには、補充回収庫２４Ｃに相当する部分に対応させて右端部に設けられた図示しない一対のヒンジ部を介して、略四角形状の金属板によって形成された扉５９が、扉外面５９Ａをケース正面５５Ｂと面一にして開口部を閉塞し、また当該開口部を開放するように開閉可能に（すなわち、この場合は右開で）取り付けられている。
【０１７６】
さらにまた３枚の扉５７乃至５９には、それぞれ左端中央部に、ディンプルキー等の鍵（図示せず）に対応するシリンダ錠のような錠６０乃至６２が、鍵穴の形成された一端面を扉外面５７Ａ乃至５９Ａから露出させ、他端部を扉内面から突出させて取り付けられている。
【０１７７】
そして補助収納庫２４では、外装ケース５５に対する個々の扉５７乃至５９の開閉やロック及び当該ロックの解除に係る構造部分が、上述した紙幣収納庫２０の場合と同様に構成されている。
【０１７８】
このため補助収納庫２４の外装ケース５５に対する個々の扉５７乃至５９の開閉やロック及び当該ロックの解除に係る構造部分については、説明を省略する。
【０１７９】
ところで、補助収納庫２４は、リジェクト庫２４Ａ、取忘庫２４Ｂ及び補充回収庫２４Ｃに相当する部分にそれぞれ、扉５７乃至５９に対応させて封かん具取付部６５乃至６７が設けられている。
【０１８０】
よって、以下には、補助収納庫２４に設けられた封かん具取付部６５乃至６７について説明する。ただし、補助収納庫２４においてリジェクト庫２４Ａ、取忘庫２４Ｂ及び補充回収庫２４Ｃに相当する部分に設けられた３つの封かん具取付部６５乃至６７は、同様に構成されている。
【０１８１】
このため、以下には、１つの封かん具取付部６５の構成についてのみ説明し、残りの２つの封かん具取付部６６、６７の構成については説明を省略する。
【０１８２】
封かん具取付部６５は、扉５７に設けられた略短冊状の扉側取付板５７Ｂを有している。扉側取付板５７Ｂは、扉５７の左側面の中央部に、当該左側面の向く方向（例えば、収納庫左方向）に突設され、当該扉５７と一体に成形されている。
【０１８３】
また封かん具取付部６５は、外装ケース５５に設けられた略短冊状の金属板でなるケース側取付板６８も有している。
【０１８４】
さらに外装ケース５５には、封かん具取付部６５として、扉側取付板５７Ｂに対応するケース正面５５Ｂの左端下部からケース左側面５５Ｃの前端下部に亘る所定深さの略Ｌ字状の封かん具収納溝部５５Ｄが形成されている。
【０１８５】
そしてケース側取付板６８は、一面を収納庫前方向に向け、根元部が封かん具収納溝部５５Ｄの底においてケース正面５５Ｂから扉側取付板５７Ｂの厚みと等しい距離だけ、又はその厚みよりも僅かに長い距離だけ後側に接合されている。
【０１８６】
これにより扉側取付板５７Ｂは、外装ケース５５に対し扉５７が閉じられた場合、封かん具収納溝部５５Ｄに入り込んで、扉内面において当該扉側取付板５７Ｂの部分をケース側取付板６８の一面と接触させ、又は近接させる。
【０１８７】
すなわち、扉側取付板５７Ｂは、外装ケース５５に対し扉５７が閉じられた場合、封かん具収納溝部５５Ｄに入り込むことで、扉外面５７Ａをケース正面５５Ｂと面一にして、錠６０による扉５７のロックを妨げないようにしている。
【０１８８】
そして扉側取付板５７Ｂは、その長さが例えば、先端をケース左側面５５Ｃと面一にするように（すなわち、先端をケース左側面５５Ｃよりも収納庫左方向へは突出させないように）選定されており、当該先端部にバンド挿入孔部５７ＢＸが穿設されている。
【０１８９】
またケース側取付板６８は、その長さが例えば、先端をケース左側面５５Ｃと面一にするように（すなわち、先端をケース左側面５５Ｃよりも収納庫左方向へは突出させないように）、扉側取付板５７Ｂとほぼ等しく選定されている。
【０１９０】
そしてケース側取付板６８は、先端部にバンド挿入孔部が、外装ケース５５に対し扉５７が閉じられたときに扉側取付板５７Ｂのバンド挿入孔部５７ＢＸと対向するように穿設されている。
【０１９１】
これにより封かん具取付部６５は、外装ケース５５に対し扉５７が閉じられた場合、ケース側取付板６８と扉側取付板５７Ｂとを接触させ、又は近接させて、当該ケース側取付板６８のバンド挿入孔部と扉側取付板５７Ｂのバンド挿入孔部５７ＢＸとをあたかも１つの孔部のように接触させ、又は近接させる。
【０１９２】
さらに扉側取付板５７Ｂ及びケース側取付板６８は、互いの幅がほぼ等しく選定されている。さらにまた封かん具収納溝部５５Ｄは、ケース正面５５Ｂ側の部分の幅が、扉側取付板５７Ｂ及びケース側取付板６８の幅よりも広く選定されている。
【０１９３】
よって封かん具取付部６５は、外装ケース５５に対し扉５７が閉じられた場合、ケース側取付板６８及び扉側取付板５７Ｂの下端と、封かん具収納溝部５５Ｄのケース正面５５Ｂ側の部分との間に、封かん具５０のバンド部５０Ａの厚みよりも広い隙間（以下、これをバンド用隙間とも呼ぶ）を形成している。
【０１９４】
よって図１１（Ａ）及び（Ｂ）に示すように、補助収納庫２４は、外装ケース５５に対し扉５７が閉じられた状態で封かん具５０のバンド部５０Ａを扉側取付板５７Ｂのバンド挿入孔部５７ＢＸ及びケース側取付板６８のバンド挿入孔部に順に通させた後、ヘッド部５０Ｂの孔に差し込ませる。
【０１９５】
これにより補助収納庫２４は、封かん具取付部６５において封かん具５０によりケース側取付板６８に扉側取付板５７Ｂをバンド挿入孔部５７ＢＸを介して縛り付けるようにして、当該封かん具取付部６５に封かん具５０を取り付けさせる。
【０１９６】
このようにして補助収納庫２４は、外装ケース５５に対し扉５７が閉じられた状態で、封かん具取付部６５に封かん具５０を、外装ケース５５の周囲から視認可能な状態に取り付けさせて、当該封かん具５０により外装ケース５５に対して扉５７を封かんすることができる。
【０１９７】
ただし、補助収納庫２４では、この際、例えば、封かん具５０のバンド部５０Ａの根元部分を封かん具収納溝部５５Ｄに形成されるバンド用隙間に押し込ませると共に、ヘッド部５０Ｂを当該封かん具収納溝部５５Ｄ内のケース側取付板６８の後側に押し込ませることができる。
【０１９８】
すなわち、補助収納庫２４は、封かん具取付部６５に取り付けられた封かん具５０のほとんどの部分を、当該封かん具取付部６５の封かん具収納溝部５５Ｄに収納して、ケース左側面５５Ｃよりも収納庫左方向へは突出させないようにすることができる。
【０１９９】
よって図１２に示すように、補助収納庫２４は、下部ユニット１４への装着時、個々の封かん具取付部６５乃至６７に取り付けられた封かん具５０（特に、下側の封かん具取付部６５、６６に取り付けられた封かん具５０）をユニット筐体右側板３２Ｂに引っ掛けることなく、当該補助収納庫２４をユニット筐体３２に収納させることができる。
【０２００】
実際に補助収納庫２４は、紙幣装填場所でリジェクト紙幣の取出用に扉５７が開かれる場合、係員に、封かん具取付部６５に取り付けられていた封かん具５０を、切断工具を用いてバンド部５０Ａを破損（切断）させるようにして封かん具取付部６５から外させる。
【０２０１】
また補助収納庫２４は、係員に、錠６０の鍵穴に差し込まれた鍵の回転操作により外装ケース５５に対する扉５７のロックを解除させて、その扉５７を開かせ、当該外装ケース５５の内部からリジェクト紙幣を全て取り出させる。
【０２０２】
そのうえで補助収納庫２４は、係員に、扉５７を閉じさせて、錠６０の鍵穴に差し込まれた鍵の回転操作により外装ケース５５に対し扉５７を閉じた状態にロックさせると共に、封かん具取付部６５に封かん具５０を取り付けさせて、当該封かん具５０により外装ケース５５に対して扉５７を封かんさせる。
【０２０３】
また補助収納庫２４は、紙幣装填場所で取忘紙幣の取出用に扉５８が開かれる場合も係員に、封かん具取付部６６に取り付けられていた封かん具５０を、切断工具を用いてバンド部５０Ａを破損（切断）させるようにして封かん具取付部６６から外させる。
【０２０４】
また補助収納庫２４は、係員に、錠６１の鍵穴に差し込まれた鍵の回転操作により外装ケース５５に対する扉５８のロックを解除させて、その扉５８を開かせ、当該外装ケース５５の内部から取忘紙幣を全て取り出させる。
【０２０５】
そのうえで補助収納庫２４は、係員に、扉５８を閉じさせて、錠６１の鍵穴に差し込まれた鍵の回転操作により外装ケース５５に対し扉５８を閉じた状態にロックさせると共に、封かん具取付部６６に封かん具５０を取り付けさせて、当該封かん具５０により外装ケース５５に対して扉５８を封かんさせる。
【０２０６】
さらに補助収納庫２４は、紙幣装填場所で紙幣の装填用に扉５９が開かれる場合も係員に、封かん具取付部６７に取り付けられていた封かん具５０を、切断工具を用いてバンド部５０Ａを破損（切断）させるようにして封かん具取付部６７から外させる。
【０２０７】
また補助収納庫２４は、係員に、錠６２の鍵穴に差し込まれた鍵の回転操作により外装ケース５５に対する扉５９のロックを解除させて、その扉５９を開かせ、当該外装ケース５５の内部に補充用の複数の紙幣を装填させる。
【０２０８】
そのうえで補助収納庫２４は、係員に、扉５９を閉じさせて、錠６２の鍵穴に差し込まれた鍵の回転操作により外装ケース５５に対し扉５９を閉じた状態にロックさせると共に、封かん具取付部６７に封かん具５０を取り付けさせて、当該封かん具５０により外装ケース５５に対して扉５９を封かんさせる。
【０２０９】
このようにして補助収納庫２４は、紙幣装填場所でリジェクト紙幣や取忘紙幣が取り出される毎、また補充用の紙幣が装填される毎に、係員に、扉５７乃至５９を開くために封かん具５０を破損させ、また扉５７乃至５９を閉じた後には、再び封かん具５０を取り付けさせている。
【０２１０】
従って補助収納庫２４でも、上述した紙幣収納庫２０の場合と同様に、紙幣装填場所でのリジェクト紙幣及び取忘紙幣の取出や補充用の紙幣の装填の際、係員が正規に封かん具５０を破損させる前にすでに破損しているか否かにより、係員に対し、扉５７乃至５９が不正に開かれた可能性があるかどうかを容易に確認させることができる。
【０２１１】
また補助収納庫２４でも、封かん具取付部６５乃至６７にそれぞれ封かん具５０が取り付けられると、上述した紙幣収納庫２０の場合と同様に、これら封かん具５０により外装ケース５５に対して扉５７乃至５９をロックすることができる。
【０２１２】
（１−４）第１の実施の形態の動作及び効果
以上の構成において、現金自動預払機１では、扉４２、５７乃至５９が開閉可能に設けられた外装ケース４０、５５を有する紙幣収納庫２０乃至２３及び補助収納庫２４に、扉４２、５７乃至５９を閉じた状態にロックし、また当該ロックを解除するための錠４３、６０乃至６２を設ける。
【０２１３】
また現金自動預払機１では、紙幣収納庫２０乃至２３及び補助収納庫２４に、破損により取外可能な封かん具５０を、扉４２、５７乃至５９が閉じられていることを示し、かつ当該扉４２、５７乃至５９を閉じた状態にロックするように取り付けさせる封かん具取付部４６、６５乃至６７を設ける。
【０２１４】
そして現金自動預払機１は、紙幣収納庫２０乃至２３及び補助収納庫２４において係員により扉４２、５７乃至５９が開かれて紙幣が装填され、又は取り出された後に扉が閉じられると、錠４３、６０乃至６２により扉４２、５７乃至５９をロックさせると共に、封かん具取付部４６、６５乃至６７に封かん具５０を取り付けさせる。
【０２１５】
従って現金自動預払機１は、紙幣収納庫２０乃至２３及び補助収納庫２４において係員が正規に扉４２、５７乃至５９毎の封かん具５０を破損させる前に破損しているか否かにより、これら扉４２、５７乃至５９が不正に開かれた可能性があるかどうかを個別に確認させることができる。
【０２１６】
また現金自動預払機１は、紙幣収納庫２０乃至２３及び補助収納庫２４に対する下部ユニット１４への着脱の際や運搬の際等に、錠４３、６０乃至６２による扉４２、５７乃至５９のロックが不正に解除されても、封かん具５０が不正に破損させられなければ、当該封かん具５０により扉４２、５７乃至５９をロックし続けることができる。
【０２１７】
以上の構成によれば、現金自動預払機１は、扉４２、５７乃至５９が開閉可能に設けられた外装ケース４０、５５を有する紙幣収納庫２０乃至２３及び補助収納庫２４に、扉４２、５７乃至５９を閉じた状態にロックし、また当該ロックを解除するための錠４３、６０乃至６２を設けると共に、破損により取外可能な封かん具５０を、扉４２、５７乃至５９が閉じられていることを示し、かつ当該扉４２、５７乃至５９を閉じた状態にロックするように取り付けさせる封かん具取付部４６、６５乃至６７を設けるようにした。
【０２１８】
これにより現金自動預払機１は、紙幣収納庫２０乃至２３及び補助収納庫２４において係員が正規に封かん具５０を破損させる前に破損しているか否かにより、扉４２、５７乃至５９が不正に開かれた可能性があるかどうかを容易に確認させることができると共に、紙幣収納庫２０乃至２３及び補助収納庫２４の着脱や運搬の際等に、錠４３、６０乃至６２による扉４２、５７乃至５９のロックが不正に解除されても、封かん具５０が不正に破損させられなければ、当該封かん具５０により扉４２、５７乃至５９をロックし続けることができる。
【０２１９】
よって現金自動預払機１は、封かん具５０を利用して、従来に比して紙幣収納庫２０乃至２３及び補助収納庫２４のセキュリティーを一段と向上させることができる。
【０２２０】
また現金自動預払機１では、紙幣収納庫２０乃至２３及び補助収納庫２４においてロックレバー４４の近傍に封かん具取付部４６、６５乃至６７を設けるようにした。
【０２２１】
これにより現金自動預払機１は、紙幣収納庫２０乃至２３及び補助収納庫２４において仮に錠４３、６０乃至６２による扉４２、５７乃至５９のロックのみが不正に解除されても、封かん具５０により扉４２、５７乃至５９を強固にロックし続けることができる。
【０２２２】
さらに現金自動預払機１では、補助収納庫２４において外装ケース５５に封かん具取付部６５乃至６７として封かん具収納溝部５５Ｄを形成し、当該封かん具取付部６５乃至６７に取り付けられた封かん具５０を、その封かん具収納溝部５５Ｄに挿入させるようにした。
【０２２３】
よって現金自動預払機１は、補助収納庫２４に対する下部ユニット１４への着脱の際や、運搬の際等に封かん具５０が邪魔になることを回避することができる。
【０２２４】
（２）第２の実施の形態
（２−１）現金自動預払機の外観構成
次いで、第２の実施の形態による現金自動預払機について説明する。第２の実施の形態による現金自動預払機は、第１の実施の形態による現金自動預払機１（図１）と同様の外観構成を有している。よって、第２の実施の形態による現金自動預払機の外観構成については、図１を参照することとし説明を省略する。
【０２２５】
（２−２）現金自動預払機の内部構成
次いで、第２の実施の形態による現金自動預払機の内部構成について説明する。図２との対応部分に同一符号を付した図１３に示すように、第２の実施の形態による現金自動預払機７０は、紙幣処理ユニット７１の下部ユニット７２の構成と、当該下部ユニット７２に着脱可能に装着される複数の紙幣収納庫７３乃至７６の構成とを除いて上述した第１の実施の形態による現金自動預払機１と同様に構成されている。
【０２２６】
この場合、図３（Ａ）及び（Ｂ）との対応部分に同一符号を付した図１４（Ａ）及び（Ｂ）に示すように、下部ユニット７２は、前後に長い略箱型のユニット筐体８０を有している。
【０２２７】
ユニット筐体８０は、ユニット筐体右側板８０Ａの上端に、前後に長いレール配置板８０ＡＸが預払機右方向に張り出すように設けられている。
【０２２８】
またユニット筐体８０は、ユニット筐体右側板８０Ａの高さよりもユニット筐体左側板８０Ｂの高さが低く形成され、当該ユニット筐体右側板８０Ａの上端から、ユニット筐体左側板８０Ｂの上端までに亘り開口部８０Ｃが形成されている。
【０２２９】
さらにユニット筐体８０は、底面に、紙幣収納庫７３乃至７６及び補助収納庫２４の収納庫配置位置を規定するための複数の仕切板８０Ｄが前から後にかけて所定間隔で垂設されている。
【０２３０】
これにより下部ユニット７２は、ユニット筐体８０内の複数の収納庫配置位置に紙幣収納庫７３乃至７６及び補助収納庫２４をそれぞれ扉５７乃至５９を預払機後方向へ向けた姿勢で、複数の仕切板８０Ｄによって位置決めして配置することができる。
【０２３１】
さらにユニット筐体８０には、レール配置板８０ＡＸの上面に設けられた前後２個のヒンジ部３６を介して（すなわち、前方向と平行なヒンジ軸を中心にして）処理ユニット下側搬送部２７が、開口部８０Ｃにおいて当該ユニット筐体８０の上端部分を閉塞し、また開放するように開閉可能に取り付けられている。
【０２３２】
これにより下部ユニット７２は、ユニット筐体８０に対する処理ユニット下側搬送部２７の開閉に応じて、下側搬送路２７Ａを紙幣収納庫７３乃至７６及び補助収納庫２４とそれぞれ接続し、また切り離すことができる。
【０２３３】
そして図４との対応部分に同一符号を付した図１５に示すように、紙幣処理ユニット７１においてメインフレーム１２は、左側面の内面下寄りの所定位置に、左レールガイド８１が、その長手方向を預払機前方向と平行にして配置されると共に、右側面の内面上寄りの所定位置に、右レールガイド８２が、その長手方向を預払機前方向と平行にして配置されている。
【０２３４】
また下部ユニット７２のユニット筐体８０は、ユニット筐体左側板８０Ｂの外面の下寄りに左スライドレール８３が、その長手方向を預払機前方向と平行にして配置されると共に、レール配置板８０ＡＸの下面に右スライドレール８４が、その長手方向を預払機前方向と平行にして配置されている。
【０２３５】
そして下部ユニット７２は、左スライドレール８３及び右スライドレール８４が、メインフレーム１２の左レールガイド８１及び右レールガイド８２に係合されている。
【０２３６】
よってメインフレーム１２は、下部ユニット７２を、左レールガイド８１及び右レールガイド８２並びに左スライドレール８３及び右スライドレール８４を介して前後にスライド可能に支持している。
【０２３７】
これにより図５との対応部分に同一符号を付した図１６に示すように、紙幣処理ユニット７１は、預払機筐体２から前側に引き出された状態（又は、預払機筐体２に収納された状態）で、メインフレーム１２から下部ユニット７２を前側へ引き出させ、またメインフレーム１２に押し込むようにして収納させることができる。
【０２３８】
よって下部ユニット７２は、上述した第１の実施の形態による紙幣処理ユニット１１の下部ユニット１４と同様に、紙幣収納庫７３乃至７６及び補助収納庫２４が装着された（すなわち、ユニット筐体８０内に紙幣収納庫７３乃至７６及び補助収納庫２４が配置された）状態でメインフレーム１２から引き出され、ユニット筐体８０に対し処理ユニット下側搬送部２７が開かれると、紙幣収納庫７３乃至７６及び補助収納庫２４から下側搬送路２７Ａを切り離す。
【０２３９】
これにより紙幣処理ユニット７１は、ユニット筐体８０内の複数の収納庫配置位置から紙幣収納庫７３乃至７６及び補助収納庫２４を、上側や左斜上側へ引き抜かせるようにして取り出させることができる。
【０２４０】
そして紙幣処理ユニット７１は、このように下部ユニット７２から取り出された紙幣収納庫７３乃至７６及び補助収納庫２４については、特定の紙幣装填場所へ運搬させて当該紙幣収納庫７３乃至７６及び補助収納庫２４に対し複数の紙幣を装填させ、またリジェクト紙幣や取忘紙幣を取り出させることができる。
【０２４１】
また紙幣処理ユニット７１は、下部ユニット７２から紙幣収納庫７３乃至７６及び補助収納庫２４が取り出された状態では、ユニット筐体８０内の複数の収納庫配置位置に、紙幣装填場所で複数の紙幣が装填され、またリジェクト紙幣や取忘紙幣が取り出された紙幣収納庫７３乃至７６及び補助収納庫２４を上側や左斜上側から差し込ませるようにして収納させることができる。
【０２４２】
そのうえで紙幣処理ユニット７１は、下部ユニット７２においてユニット筐体８０に対し処理ユニット下側搬送部２７が閉じられると、下側搬送路２７Ａを紙幣収納庫７３乃至７６及び補助収納庫２４に接続することができる。
【０２４３】
このようにして紙幣処理ユニット７１は、下部ユニット７２に紙幣収納庫７３乃至７６及び補助収納庫２４を装着させることができ、この状態で下部ユニット７２をメインフレーム１２に押し込むようにして収納させることができる。
【０２４４】
因みに、下部ユニット７２は、メインフレーム１２に収納されると、下側搬送路２７Ａを前側搬送路２５Ａ及び後側搬送路２６Ａに接続し、またメインフレーム１２から引き出されると、下側搬送路２７Ａを前側搬送路２５Ａ及び後側搬送路２６Ａから切り離す。
【０２４５】
（２−３）紙幣収納庫の構成
次いで、複数の紙幣収納庫７３乃至７６の構成について説明する。ただし、複数の紙幣収納庫７３乃至７６は、同様に構成されているため、１個の紙幣収納庫７３の構成についてのみ説明し、他の紙幣収納庫７４乃至７６の構成については説明を省略する。
【０２４６】
また、以下には、紙幣収納庫７３の構成を、図６（Ａ）及び（Ｂ）を用いて上述した第１の実施の形態による紙幣収納庫２０の構成を説明した場合に定義した方向（すなわち、収納庫左方向や収納庫前方向等）を適用して説明する。
【０２４７】
図１７に示すように、紙幣収納庫７３は、上述した第１の実施の形態による紙幣収納庫２０の場合と同様に、金属板により上下に長い略直方体状に形成された外装ケース９０を有している。
【０２４８】
因みに、係る外装ケース９０の高さは、第１の実施の形態による紙幣収納庫２０の外装ケース４０の高さと等しく選定されている。
【０２４９】
外装ケース９０のケース上面９０Ａには、上述した第１の実施の形態による紙幣収納庫２０の場合と同様に、スリット状の紙幣取込繰出口９０ＡＸが形成されると共に、略コ字状の溝部を利用して略コ字状の取手９１が収納及び引出可能に取り付けられている。
【０２５０】
また外装ケース９０のケース正面９０Ｂには、中央部に、内部へ紙幣を装填する（また、内部から紙幣を取り出す）ための略長方形状の開口部９０ＢＸが形成されている。
【０２５１】
さらに外装ケース９０のケース正面９０Ｂには、例えば、左端部に設けられた図示しない一対のヒンジ部を介して、略長方形状の金属板によって形成された扉９２が、扉外面９２Ａをケース正面９０Ｂと面一にして開口部９０ＢＸを閉塞し、また当該開口部９０ＢＸを開放するように開閉可能に（すなわち、この場合は左開で）取り付けられている。
【０２５２】
さらにまた外装ケース９０のケース正面９０Ｂには、例えば、右端中央部にディンプルキー等の鍵に対応するシリンダ錠のような錠９３が、鍵穴の形成された一端面を当該ケース正面９０Ｂから露出させ、他端部を外装ケース９０の内部に突出させて取り付けられている。
【０２５３】
ここで、図１８を用いて紙幣収納庫７３に設けられた扉９２のロック機構について説明する。図１８に示すように、外装ケース９０は、開口部９０ＢＸの上端及び下端それぞれから扉９２の厚み分だけ内部の所定位置に扉当接板９５乃至９８が、その一面を収納庫前方向に向けて配置されている。
【０２５４】
また扉９２の扉内面９２Ｂには、上端、下端、右端のそれぞれ所定位置に、略コ字状の係止部９２ＢＸ乃至９２ＢＺが、当該扉内面９２Ｂとの間に孔部（以下、これを係止孔部とも呼ぶ）を形成するように突設されている。
【０２５５】
これにより外装ケース９０は、扉９２が閉じられた場合、扉内面９２Ｂの上端部及び下端部を扉当接板９５乃至９８に当接させて、扉外面９２Ａをケース正面９０Ｂと面一にして、当該扉９２の係止部９２ＢＸ乃至９２ＢＺを内部に入り込ませることができる。
【０２５６】
さらに錠９３の他端部には、回動板９９が、鍵穴に差し込まれた鍵１００の一回転方向及び他回転方向への回転操作に応じて当該錠９３の中心軸を中心にして一回転方向及び他回転方向へ回動させるように取り付けられている。
【０２５７】
さらにまた外装ケース９０は、扉９２の係止部９２ＢＸ乃至９２ＢＺに対応させて、ケース正面９０Ｂの上端部、右端部及び下端部の内側にそれぞれ先端に爪部が設けられたロックレバー１０１乃至１０３が配置されている。
【０２５８】
そして外装ケース９０は、ケース正面９０Ｂの上端部、右端部及び下端部の内側で、複数のロックレバー１０１乃至１０３が、それぞれ平板状や略Ｌ字板状等の複数の連結板１０４を順次介して錠９３の回動板９９に連結されている。
【０２５９】
紙幣収納庫７３は、係る構成のもと、外装ケース９０に対し扉９２が閉じられた状態で、錠９３の鍵穴に鍵１００が差し込まれて例えば、他回転方向へ回転操作されると、その回転操作に応じて回動板９９を他回転方向へ回転させる。
【０２６０】
これにより紙幣収納庫７３は、回動板９９の回転に複数の連結板１０４と共に複数のロックレバー１０１乃至１０３を連動させて、当該複数のロックレバー１０１乃至１０３の爪部を、対応する係止孔部に差し込むようにして係止部９２ＢＸ乃至９２ＢＺに係止する。
【０２６１】
そして紙幣収納庫７３は、このように複数のロックレバー１０１乃至１０３の爪部を対応する係止部９２ＢＸ乃至９２ＢＺに係止したまま、錠９３の鍵穴から鍵１００が抜き取られると、外装ケース９０に対し扉９２を閉じた状態（すなわち、開口部９０ＢＸを完全に密閉した状態）にロックする（すなわち、開かないようにする）ことができる。
【０２６２】
また紙幣収納庫７３は、外装ケース９０に対し扉９２をロックした状態で錠９３の鍵穴に鍵１００が差し込まれて例えば、一回転方向へ回転操作されると、その回転操作に応じて回動板９９を一回転方向へ回転させる
【０２６３】
これにより紙幣収納庫７３は、回動板９９の回転に複数の連結板１０４と共に複数のロックレバー１０１乃至１０３を連動させて、当該複数のロックレバー１０１乃至１０３の爪部を対応する係止孔部から引き抜き、外装ケース９０に対する扉９２のロックを解除する。
【０２６４】
よって紙幣収納庫７３は、外装ケース９０に対し扉９２を開かせて開口部９０ＢＸを開放することができ、かくして内部に複数の紙幣を装填させ、また内部から紙幣を取り出させることができる。
【０２６５】
係る構成に加え紙幣収納庫７３（図１７（Ａ）及び（Ｂ））は、外装ケース９０において例えば、錠９３の下側に封かん具取付部１０７が設けられている。
【０２６６】
この場合、外装ケース９０のケース正面９０Ｂの右端部には、封かん具取付部１０７として、錠９３の下側に、内部の複数の連結板１０４のうち１個の連結板１０４の一面の一部を露出させる連結板露出孔部９０ＢＹが穿設されている。
【０２６７】
また外装ケース９０の右側面（以下、これをケース右側面とも呼ぶ）９０Ｃの前端部には、封かん具取付部１０７として、連結板露出孔部９０ＢＹと同じ高さ位置に、当該連結板露出孔部９０ＢＹに近接させてバンド引出孔部９０ＣＸが穿設されている。
【０２６８】
さらに封かん具取付部１０７は、連結板露出孔部９０ＢＹを介して一面の一部を露出させている１個の連結板（以下、これを封かん具取付用連結板とも呼ぶ）１０４Ａを有し、当該封かん具取付用連結板１０４Ａの一面において連結板露出孔部９０ＢＹを介して露出される部分に、バンド挿入孔部１０４ＡＸが穿設されている。
【０２６９】
よって図１９に示すように、紙幣収納庫７３では、外装ケース９０に対し扉９２が閉じられた状態で封かん具５０のバンド部５０Ａを、連結板露出孔部９０ＢＹを介して封かん具取付用連結板１０４Ａのバンド挿入孔部１０４ＡＸに挿入させてバンド引出孔部９０ＣＸから引き出した後、ヘッド部５０Ｂの孔に差し込ませる。
【０２７０】
これにより紙幣収納庫７３は、封かん具取付部１０７において封かん具５０により外装ケース９０の右前隅中央部（すなわち、連結板露出孔部９０ＢＹとバンド引出孔部９０ＣＸとの間の部分）に封かん具取付用連結板１０４Ａを、連結板露出孔部９０ＢＹ、バンド挿入孔部１０４ＡＸ及びバンド引出孔部９０ＣＸを介して縛り付けるようにして、当該封かん具取付部１０７に封かん具５０を取り付けさせる。
【０２７１】
このようにして紙幣収納庫７３は、外装ケース９０に対し扉９２が閉じられた状態で、封かん具取付部１０７に封かん具５０を、外装ケース９０の周囲から視認可能な状態に取り付けさせる。
【０２７２】
ここで、封かん具５０は、封かん具取付部１０７に取り付けられた場合、外装ケース９０の右前隅中央部に封かん具取付用連結板１０４Ａを縛り付けることで、当該外装ケース９０に対し封かん具取付用連結板１０４Ａを動かないように固定することができる。
【０２７３】
このため封かん具５０は、封かん具取付部１０７に取り付けられた場合、錠９３による扉９２のロックを不正に解除しようとして例えば、鍵１００を用いて、又はピッキングにより回動板９９を一回転方向へ回転させようとしても、封かん具取付用連結板１０４Ａを固定していることで、当該回動板９９の回転を抑制することができる。
【０２７４】
すなわち、封かん具５０は、このように回動板９９を一回転方向へ回転させようとしても、封かん具取付用連結板１０４Ａの固定により、当該回動板９９を何ら回転させないようにし、また他の複数の連結板１０４と共にロックレバー１０１乃至１０３を何ら動かないようにすることができる。
【０２７５】
よって封かん具５０は、封かん具取付部１０７に取り付けられた場合、錠９３による扉９２のロックを不正に解除しようとしても、そのロックの解除を阻止して、扉９２をロックし続けることができる。
【０２７６】
このようにして紙幣収納庫７３は、封かん具取付部１０７に封かん具５０が取り付けられると、当該封かん具５０により、外装ケース９０に対して扉９２を封かんすることができる。
【０２７７】
実際に紙幣収納庫７３は、紙幣装填場所で複数の紙幣の装填用に扉９２が開かれる場合、係員に、封かん具取付部１０７に取り付けられていた封かん具５０を、切断工具を用いてバンド部５０Ａを破損（切断）させるようにして封かん具取付部１０７から外させる。
【０２７８】
また紙幣収納庫７３は、係員に、錠９３の鍵穴に差し込まれた鍵１００の回転操作により外装ケース９０に対する扉９２のロックを解除させて、その扉９２を開かせ、当該外装ケース９０の内部に複数の紙幣を装填させる。
【０２７９】
そのうえで紙幣収納庫７３は、係員に、扉９２を閉じさせて、錠９３の鍵穴に差し込まれた鍵の回転操作により外装ケース９０に対し扉９２を閉じた状態にロックさせると共に、封かん具取付部１０７に封かん具５０を取り付けさせて、当該封かん具５０により外装ケース９０に対して扉９２を封かんさせる。
【０２８０】
従って紙幣収納庫７３でも、上述した第１の実施の形態による紙幣収納庫２０の場合と同様に、紙幣装填場所での紙幣の装填の際、係員が正規に封かん具５０を破損させる前にすでに破損しているか否かにより、係員に対し、扉９２が不正に開かれた可能性があるかどうかを容易に確認させることができる。
【０２８１】
また紙幣収納庫７３でも、封かん具取付部１０７に封かん具５０が取り付けられると、上述した第１の実施の形態による紙幣収納庫２０の場合と同様に、封かん具５０により、外装ケース９０に対し扉９２を閉じた状態にロックすることができる。
【０２８２】
因みに、上述した下部ユニット７２は、ユニット筐体８０においてユニット筐体左側板８０Ｂの高さが、紙幣収納庫７３の封かん具取付部１０７の高さ位置（すなわち、外装ケース９０の底面から封かん具取付部１０７までの高さ）よりも低く選定されている。
【０２８３】
これにより下部ユニット７２は、ユニット筐体８０に紙幣収納庫７３（他の紙幣収納庫７４乃至７６）が収納される場合、封かん具取付部１０７に取り付けられている封かん具５０をユニット筐体左側板８０Ｂの上端よりも上側に位置させて、当該紙幣収納庫７３（他の紙幣収納庫７４乃至７６）の収納の妨げにならないようにしている。
【０２８４】
（２−４）第２の実施の形態の動作及び効果
以上の構成において、現金自動預払機７０では、扉９２が開閉可能に設けられた外装ケース９０を有する紙幣収納庫７３乃至７６に、錠９３を設けると共に、複数のロックレバー１０１乃至１０３と、錠９３に取り付けられた回動板９９と、これら複数のロックレバー１０１乃至１０３を回動板９９と連結する複数の連結板１０４とを設ける。
【０２８５】
そして現金自動預払機７０は、紙幣収納庫７３乃至７６において錠９３の鍵穴に差し込まれた鍵１００が回転操作されると、これに応じて回動板９９を回転させると共に、当該回動板９９の回転に複数の連結板１０４と共に複数のロックレバー１０１乃至１０３を連動させて、扉９２を閉じた状態にロックし、また当該ロックを解除する。
【０２８６】
また現金自動預払機７０では、紙幣収納庫７３乃至７６に、破損により取外可能な封かん具５０を取り付ける封かん具取付部１０７を設ける。
【０２８７】
そして現金自動預払機７０では、紙幣収納庫７３乃至７６において錠９３により扉９２が閉じた状態にロックされた後、封かん具取付部１０７に対し封かん具５０を、複数の連結板１０４のうち１個の封かん具取付用連結板１０４Ａを外装ケース９０に縛り付けるようにして取り付けさせる。
【０２８８】
従って現金自動預払機７０は、紙幣収納庫７３乃至７６各々において、係員が正規に封かん具５０を破損させる前に破損しているか否かにより、扉９２が不正に開かれた可能性があるかどうかを確認させることができる。
【０２８９】
また現金自動預払機７０は、紙幣収納庫７３乃至７６に対する下部ユニット１４への着脱の際や運搬の際等に、錠９３による扉９２のロックを不正に解除しようとしても、封かん具５０により封かん具取付用連結板１０４Ａと共に他の複数の連結板１０４及び複数のロックレバー１０１乃至１０３を何ら動かないようにしてロックの解除を阻止することができる。
【０２９０】
以上の構成によれば、現金自動預払機７０は、紙幣収納庫７３乃至７６に複数のロックレバー１０１乃至１０３と、錠９３に取り付けられた回動板９９と、これら複数のロックレバー１０１乃至１０３を回動板９９と連結する複数の連結板１０４とを設けると共に、破損により取外可能な封かん具５０を取り付ける封かん具取付部１０７を設けるようにし、錠９３の鍵穴に差し込まれた鍵１００の回転操作に応じて回動板９９を回転させると共に、当該回動板９９の回転に複数の連結板１０４と共に複数のロックレバー１０１乃至１０３を連動させて扉９２を閉じた状態にロックし、また当該ロックを解除するようにして、錠９３により扉９２がロックされた状態で、封かん具取付部１０７に対し封かん具５０を外装ケース９０に１個の封かん具取付用連結板１０４Ａを縛り付けるようにして取り付けさせるようにした。
【０２９１】
これにより現金自動預払機７０は、紙幣収納庫７３乃至７６において錠９３による扉９２のロックを不正に解除しようとしても、封かん具５０により複数のロックレバー１０１乃至１０３を何ら動かないようにしてロックの解除を阻止することができる。
【０２９２】
よって現金自動預払機７０は、上述した第１の実施の形態によって得られる効果と同様の効果を得ることができると共に、これに加え、封かん具５０により、錠９３による扉９２のロックを強固にして、紙幣収納庫７３乃至７６のセキュリティーを、より一段と向上させることができる。
【０２９３】
（３）第３の実施の形態
（３−１）現金自動預払機の外観構成
次いで、第３の実施の形態による現金自動預払機について説明する。第３の実施の形態による現金自動預払機は、第１の実施の形態による現金自動預払機１（図１）と同様の外観構成を有している。よって、第３の実施の形態による現金自動預払機の外観構成については、図１を参照することとし説明を省略する。
【０２９４】
（３−２）現金自動預払機の内部構成
次いで、第３の実施の形態による現金自動預払機の内部構成について説明する。図２との対応部分に同一符号を付した図２０に示すように、第３の実施の形態による現金自動預払機１１０は、下部ユニット１４に着脱可能に装着される複数の紙幣収納庫１１２乃至１１５の構成を除いて上述した第１の実施の形態による現金自動預払機１と同様に構成されている。
【０２９５】
よって、以下には、第３の実施の形態による現金自動預払機１１０の下部ユニット１４に着脱可能に装着される複数の紙幣収納庫１１２乃至１１５の構成について説明する。
【０２９６】
（３−３）紙幣収納庫の構成
第３の実施の形態による複数の紙幣収納庫１１２乃至１１５は、同様に構成されている。このため、以下には、１個の紙幣収納庫１１２の構成についてのみ説明し、他の紙幣収納庫１１３乃至１１５の構成については説明を省略する。
【０２９７】
また、以下には、紙幣収納庫１１２の構成を、図６（Ａ）及び（Ｂ）を用いて上述した第１の実施の形態による紙幣収納庫２０の構成を説明した場合に定義した方向（すなわち、収納庫左方向や収納庫前方向等）を適用して説明する。
【０２９８】
図２１（Ａ）及び（Ｂ）に示すように、紙幣収納庫１１２は、上述した第１の実施の形態による紙幣収納庫２０の場合と同様に、金属板により上下に長い略直方体状に形成された外装ケース１２０を有している。
【０２９９】
因みに、係る外装ケース１２０の高さは、第１の実施の形態による紙幣収納庫２０の外装ケース４０の高さと等しく選定されている。
【０３００】
外装ケース１２０のケース上面１２０Ａには、上述した第１の実施の形態による紙幣収納庫２０の場合と同様に、スリット状の紙幣取込繰出口１２０ＡＸが形成されると共に、略コ字状の溝部を利用して略コ字状の取手１２１が収納及び引出可能に取り付けられている。
【０３０１】
また外装ケース１２０のケース正面１２０Ｂには、中央部に、内部へ紙幣を装填する（また、内部から紙幣を取り出す）ための略長方形状の開口部１２０ＢＸが形成されている。
【０３０２】
さらに外装ケース１２０のケース正面１２０Ｂには、例えば、右端部に設けられた図示しない一対のヒンジ部を介して、略長方形状の金属板によって形成された扉１２２が、扉外面１２２Ａをケース正面１２０Ｂと面一にして開口部１２０ＢＸを閉塞し、また当該開口部１２０ＢＸを開放するように開閉可能に（すなわち、この場合は右開で）取り付けられている。
【０３０３】
そして扉１２２には、左端中央部に、ディンプルキー等の鍵（図示せず）に対応するシリンダ錠のような錠１２３が、鍵穴の形成された一端面を扉外面１２２Ａから露出させ、他端部を扉内面１２２Ｂから突出させて取り付けられている。
【０３０４】
また錠１２３の他端部には、細長い金属板でなるロックレバー１２４が扉内面１２２Ｂと平行にして取り付けられている。
【０３０５】
これにより錠１２３は、鍵が鍵穴に差し込まれて当該錠１２３の中心軸を中心にして一回転方向、及びこれとは逆の他回転方向へ回転操作されると、その回転操作に連動させてロックレバー１２４を扉内面１２２Ｂと平行にしたまま、一回転方向及び他回転方向へ回転させる。
【０３０６】
さらに外装ケース１２０は、ケース正面１２０Ｂの左端部の裏側に、金属板でなるロックプレート１２５が、その一部となるプレート突出部を開口部１２０ＢＸ内に突出させて取り付けられている。
【０３０７】
これにより紙幣収納庫１１２は、上述した第１の実施の形態による紙幣収納庫２０の場合と同様に、外装ケース１２０に対し扉１２２が閉じられた場合、扉内面１２２Ｂの左端中央部を、ロックプレート１２５のプレート突出部前面に押し付けさせて、扉外面１２２Ａをケース正面１２０Ｂと面一にする。
【０３０８】
この状態で紙幣収納庫１１２は、錠１２３の鍵穴に鍵が差し込まれて例えば、他回転方向へ回転操作されると、ロックレバー１２４を他回転方向へ回転させて、ロックプレート１２５のプレート突出部を、扉１２２とロックレバー１２４の先端部とで挟み込む。
【０３０９】
そして紙幣収納庫１１２は、このようにロックプレート１２５のプレート突出部を、扉１２２とロックレバー１２４の先端部とで挟み込んだまま、錠１２３の鍵穴から鍵が抜き取られると、外装ケース１２０に対し扉１２２を閉じた状態にロックすることができる。
【０３１０】
また紙幣収納庫１１２は、外装ケース１２０に対し扉１２２をロックした状態で錠１２３の鍵穴に鍵が差し込まれて例えば、一回転方向へ回転操作されると、ロックレバー１２４を一回転方向へ回転させて、外装ケース１２０に対する扉１２２のロックを解除する。
【０３１１】
これにより紙幣収納庫１１２は、外装ケース１２０に対し扉１２２を開かせて開口部１２０ＢＸを開放することができ、かくして内部に複数の紙幣を装填させ、また内部から紙幣を取り出させることができる。
【０３１２】
係る構成に加え紙幣収納庫１１２は、外装ケース１２０及び扉１２２において例えば、錠１２３の下側に封かん具取付部１２７が設けられている。
【０３１３】
この場合、扉１２２の扉外面１２２Ａには、封かん具取付部１２７として、錠１２３の下に、例えば、封かん具５０のヘッド部５０Ｂの幅及び高さに応じた所定の幅及び深さを有する直線状の扉側取付溝部１２２ＡＸが、当該扉１２２の右端から左端に亘り収納庫左方向と平行に形成されている。
【０３１４】
また外装ケース１２０には、扉側取付溝部１２２ＡＸを同じ高さ位置で延長するように、ケース正面１２０Ｂの左端部からケース左側面１２０Ｃ、背面（以下、これをケース背面とも呼ぶ）１２０Ｄ、ケース右側面１２０Ｅ、当該ケース正面１２０Ｂの右端部までに亘って、当該扉側取付溝部１２２ＡＸと等しい幅及び深さを有するケース側取付溝部１２０Ｆが形成されている。
【０３１５】
すなわち、外装ケース１２０及び扉１２２には、封かん具取付部１２７として、紙幣収納庫１１２の左右の幅及び前後の厚みを、当該外装ケース１２０の底面から所定の高さ位置で一周に亘って狭めるようなケース側取付溝部１２０Ｆ及び扉側取付溝部１２２ＡＸが形成されている。
【０３１６】
そして図２２に示すように、紙幣収納庫１１２では、外装ケース１２０に対し扉１２２が閉じられた状態で封かん具５０のバンド部５０Ａを、ケース側取付溝部１２０Ｆ及び扉側取付溝部１２２ＡＸにほぼ一周に亘って嵌め込むようにしてヘッド部５０Ｂの孔に差し込ませる。
【０３１７】
これにより紙幣収納庫１１２は、封かん具取付部１２７において封かん具５０により外装ケース１２０に扉１２２を、ケース側取付溝部１２０Ｆ及び扉側取付溝部１２２ＡＸを介して縛り付けるようにして、当該封かん具取付部１２７に封かん具５０を取り付けさせる。
【０３１８】
このようにして紙幣収納庫１１２は、外装ケース１２０に対し扉１２２が閉じられた状態で封かん具取付部１２７に封かん具５０を、外装ケース１２０の周囲から視認可能な状態で取り付けさせて、当該封かん具５０により、外装ケース１２０に対して扉１２２を封かんすることができる。
【０３１９】
実際に紙幣収納庫１１２は、紙幣装填場所で複数の紙幣の装填用に扉１２２が開かれる場合、係員に、封かん具取付部１２７に取り付けられていた封かん具５０を、切断工具を用いてバンド部５０Ａを破損（切断）させるようにして封かん具取付部１２７から外させる。
【０３２０】
また紙幣収納庫１１２は、係員に、錠１２３の鍵穴に差し込まれた鍵の回転操作により外装ケース１２０に対する扉１２２のロックを解除させて、その扉１２２を開かせ、当該外装ケース１２０の内部に複数の紙幣を装填させる。
【０３２１】
そのうえで紙幣収納庫１１２は、係員に、扉１２２を閉じさせて、錠１２３の鍵穴に差し込まれた鍵の回転操作により外装ケース１２０に対し扉１２２を閉じた状態にロックさせると共に、封かん具取付部１２７に封かん具５０を取り付けさせて、当該封かん具５０により外装ケース１２０に対して扉１２２を封かんさせる。
【０３２２】
従って紙幣収納庫１１２でも、上述した第１の実施の形態による紙幣収納庫２０の場合と同様に、紙幣装填場所での紙幣の装填の際、係員が正規に封かん具５０を破損させる前にすでに破損しているか否かにより、係員に対し、扉１２２が不正に開かれた可能性があるかどうかを容易に確認させることができる。
【０３２３】
また紙幣収納庫１１２でも、封かん具取付部１２７に封かん具５０が取り付けられると、上述した第１の実施の形態による紙幣収納庫２０の場合と同様に、封かん具５０により、外装ケース１２０に対し扉１２２を縛り付けるようにして閉じた状態にロックすることができる。
【０３２４】
因みに、紙幣収納庫１１２は、外装ケース１２０及び扉１２２に封かん具取付部１２７が、ユニット筐体３２のユニット筐体右側板３２Ｂの上端よりも上に設けられている。
【０３２５】
これにより紙幣収納庫１１２は、下部ユニット７２に着脱される際、封かん具取付部１２７に取り付けられている封かん具５０が、その着脱の作業の邪魔になることを回避することができる。
【０３２６】
（３−４）第３の実施の形態の動作及び効果
以上の構成において、現金自動預払機１１０では、扉１２２が開閉可能に設けられた外装ケース１２０を有する紙幣収納庫１１２乃至１１５に、扉１２２を閉じた状態にロックし、また当該ロックを解除するための錠１２３を設ける。
【０３２７】
また現金自動預払機１１０では、紙幣収納庫１１２乃至１１５に、破損により取外可能な封かん具５０を取り付ける封かん具取付部１２７として、外装ケース１２０及び扉１２２の表面に一周に亘るケース側取付溝部１２０Ｆ及び扉側取付溝部１２２ＡＸを設ける。
【０３２８】
そして現金自動預払機１１０では、紙幣収納庫１１２乃至１１５において、外装ケース１２０に対し扉１２２が閉じられた状態で、封かん具取付部１２７に封かん具５０を、外装ケース１２０に扉１２２を縛り付けるように取り付けさせる。
【０３２９】
従って現金自動預払機１１０は、紙幣収納庫１１２乃至１１５各々において係員が正規に封かん具５０を破損させる前に破損しているか否かにより、扉１２２が不正に開かれた可能性があるかどうかを個別に確認させることができる。
【０３３０】
また現金自動預払機１１０は、紙幣収納庫１１２乃至１１５に対する下部ユニット１４への着脱の際や運搬の際等に、錠１２３による扉１２２のロックが不正に解除されても、封かん具５０が不正に破損させられなければ、当該封かん具５０により扉１２２をロックし続けることができる。
【０３３１】
以上の構成によれば、現金自動預払機１１０は、紙幣収納庫１１２乃至１１５に扉１２２を閉じた状態にロックし、また当該ロックを解除するための錠１２３を設けると共に、外装ケース１２０及び扉１２２の表面に一周に亘るケース側取付溝部１２０Ｆ及び扉側取付溝部１２２ＡＸでなる封かん具取付部１２７を設けるようにし、外装ケース１２０に対し扉１２２が閉じられた状態で、封かん具取付部１２７に封かん具５０を、外装ケース１２０に扉１２２を縛り付けるように取り付けさせるようにした。
【０３３２】
これにより現金自動預払機１１０は、上述した第１の実施の形態によって得られる効果と同様の効果を得ることができると共に、これに加え、上述した第１の実施の形態に比して封かん具取付部１２７の構成を格段的に簡易化することができる。
【０３３３】
（４）他の実施の形態
（４−１）他の実施の形態１
なお上述した第１の実施の形態においては、紙幣収納庫２０乃至２３に封かん具取付部４６として略短冊状の扉側取付板４２Ｃ及び略短冊状のケース側取付板４７を設け、これら扉側取付板４２Ｃ及びケース側取付板４７を接触又は近接させた状態で封かん具５０を取り付けさせるようにした場合について述べた。
【０３３４】
しかしながら本発明は、これに限らず、例えば、図６（Ａ）及び（Ｂ）との対応部分に同一符号を付した図２３（Ａ）及び（Ｂ）に示すように、封かん具取付部１３０において外装ケース４０に、所定の厚みを有し、一面に扉側取付板４２Ｃに対応する溝部１３１Ａが形成されたケース側取付板１３１を設けるようにしても良い。
【０３３５】
この場合、ケース側取付板１３１は、溝部１３１Ａの縁から底面までの深さが扉側取付板４２Ｃの厚みよりも長く選定されている。
【０３３６】
またケース側取付板１３１の底面には、外装ケース４０に対し扉４２が閉じられて溝部１３１Ａに扉側取付板４２Ｃが入り込んだ場合に、当該扉側取付板４２Ｃのバンド挿入孔部４２ＣＸと対向する位置にバンド挿入孔部１３１Ｂが穿設されている。
【０３３７】
さらにケース側取付板１３１は、底面に少なくとも２本の短冊状の支持板１３１Ｃ、１３１Ｄが、当該ケース側取付板１３１の長手方向と平行で、かつ扉側取付板４２Ｃの内面の中央部と対向させて垂設されている。
【０３３８】
これにより図２４に示すように、封かん具取付部１３０は、外装ケース４０に対し扉４２が閉じられた場合、ケース側取付板１３１の溝部１３１Ａに扉側取付板４２Ｃを入り込ませるものの、当該扉側取付板４２Ｃの内面を支持板１３１Ｃ、１３１Ｄの前側の縁に当接、又は近接させる。
【０３３９】
そして封かん具取付部１３０は、例えば、封かん具５０のバンド部５０Ａを後側からケース側取付板１３１のバンド挿入孔部１３１Ｂ及び扉側取付板４２Ｃのバンド挿入孔部４２ＣＸに順に通させた後、ヘッド部５０Ｂの孔に差し込ませる。
【０３４０】
これにより封かん具取付部１３０は、封かん具５０によりケース側取付板１３１に扉側取付板４２Ｃを、バンド挿入孔部１３１Ｂ、４２ＣＸを介して縛り付けるようにして、当該封かん具取付部１３０に封かん具５０を取り付けさせて、扉４２を封かんさせる。
【０３４１】
本発明は、係る構成によれば、例えば、ケース側取付板１３１及び扉側取付板４２Ｃを、封かん具５０を引きちぎろうとした場合や、運搬途中に何処かにぶつけられた場合等でも変形することを防止することができる。
【０３４２】
すなわち、図２５に示すように、封かん具取付部４６では、扉側取付板４２Ｃ及びケース側取付板４７を、隙間を空けて対向させた状態で封かん具５０が取り付けられていると、その封かん具５０を引きちぎろうとした場合や、運搬途中に扉側取付板４２Ｃ及びケース側取付板４７が何処かにぶつけられた場合、扉側取付板４２Ｃ及びケース側取付板４７の少なくとも一方が変形する可能性がある。
【０３４３】
しかしながら、本発明は、係る構成により、ケース側取付板１３１については、底面に垂設した支持板１３１Ｃ、１３１Ｄを補強板として機能させて強固にすることができる。
【０３４４】
また本発明は、扉側取付板４２Ｃについては、封かん具５０を引きちぎろうとした場合や、運搬途中に扉側取付板４２Ｃ及びケース側取付板１３１が何処かにぶつけられた場合でも、ケース側取付板１３１の支持板１３１Ｃ、１３１Ｄに突き当てさせて変形することを防止することができる。
【０３４５】
これに加え本発明は、封かん具取付部４６において略短冊状の扉側取付板４２Ｃの前側を向く面（扉外面４２Ａの一部）に１又は複数のリブを設け、また略短冊状のケース側取付板４７の前側、又は後側に向く面にも１又は複数のリブを設けるようにしても良い。
【０３４６】
また本発明は、封かん具取付部４６において略短冊状の扉側取付板４２Ｃの後側を向く面（扉内面４２Ｂの一部）に１又は複数のリブを設け、また略短冊状のケース側取付板４７の前側を向く面にも１又は複数のリブを設ける。
【０３４７】
そして本発明は、外装ケース４０に対し扉４２が閉じられて扉側取付板４２Ｃとケース側取付板４７とを対向させた際、互いの１又は複数のリブをかみ合わせるようにしても良い。
【０３４８】
本発明は、このような構成によっても、扉側取付板４２Ｃ及びケース側取付板４７を共に強固にして、封かん具５０を引きちぎろうとした場合や、運搬途中に扉側取付板４２Ｃ及びケース側取付板４７が何処かにぶつけられた場合でも変形することを防止することができる。
【０３４９】
（４−２）他の実施の形態２
また上述した第１の実施の形態においては、紙幣収納庫２０乃至２３の封かん具取付部４６に対し封かん具５０を、ケース側取付板４７のバンド挿入孔部４７Ａ及び扉側取付板４２Ｃのバンド挿入孔部４２ＣＸにバンド部５０Ａを順に通して取り付けるようにした場合について述べた。
【０３５０】
しかしながら本発明は、これに限らず、例えば、図２６（Ａ）及び（Ｂ）に示すように、紙幣収納庫１３４において扉１３５の左端中央部に錠１３６を取り付けると共に、当該扉１３５の左側面の中央部及び外装ケース１３７のケース左側面の前端中央部に封かん具取付部１３８を設けるようにする。
【０３５１】
そして封かん具取付部１３８では、扉１３５の左側面に略Ｌ字状の扉側取付板１３５Ａを突設すると共に、当該扉側取付板１３５Ａの先端部に横長なバンド挿入孔部１３５ＡＸを穿設するようにする。
【０３５２】
また封かん具取付部１３８では、外装ケース１３７のケース左側面１３７Ａに平板状のケース側取付板１３９を垂設すると共に、当該ケース側取付板１３９の先端部に縦長な取付板挿入孔部１３９Ａを穿設するようにする。
【０３５３】
そして図２７に示すように、封かん具取付部１３８では、外装ケース１３７に対し扉１３５が閉じられた場合、扉側取付板１３５Ａの先端部をケース側取付板１３９の取付板挿入孔部１３９Ａに差し込む。
【０３５４】
これにより封かん具取付部１３８では、扉側取付板１３５Ａにおいてケース側取付板１３９の後側に位置するバンド挿入孔部１３５ＡＸに封かん具５０のバンド部５０Ａを通すようにして、当該扉側取付板１３５Ａに封かん具５０をぶら下げるような姿勢で取り付けるようにしても良い。
【０３５５】
本発明は、係る構成によれば、例えば、ピッキングにより錠１３６による扉１３５のロックが不正に解除されたうえで、その扉１３５を開こうとしても、封かん具５０がケース側取付板１３９に引っ掛かり、当該ケース側取付板１３９の取付板挿入孔部１３９Ａから扉側取付板１３５Ａが引き抜かれることを防止することができる。
【０３５６】
よって本発明は、係る構成によっても、上述した第１の実施の形態によって得られる効果と同様の効果を得ることができる。
【０３５７】
因みに、本発明は、例えば、扉側取付板を平板状に形成して取付板挿入孔部を穿設すると共に、ケース側取付板を略Ｌ字状に形成して先端部にバンド挿入孔部を穿設する。
【０３５８】
そして本発明は、ケース側取付板の先端部を扉側取付板の取付板挿入孔部に通した状態で、その先端部のバンド挿入孔部を介して封かん具を取り付けさせるようにしても良い。
【０３５９】
本発明は、係る構成によっても図２６（Ａ）及び（Ｂ）並びに図２７に示す構成と同様の効果を得ることができる。
【０３６０】
また、本発明は、例えば、図２８に示すように、封かん具取付部１４０において扉１４１に突設される略Ｌ字状の扉側取付板１４１Ａの先端部に縦長なバンド挿入孔部１４１ＡＸを穿設するようにする。
【０３６１】
そして本発明は、封かん具取付部１４０に対し図示しない封かん具を、扉側取付板１４１Ａのバンド挿入孔部１４１ＡＸにバンド部を通すようにして、後方向と平行な姿勢（すなわち、バンド部の先端を後方向（又は前方向）へ向けるような姿勢）となるように取り付けるようにしても良い。
【０３６２】
本発明は、係る構成によっても、同様に、錠１４２による扉１４１のロックが不正に解除されたうえで、その扉１４１を開こうとした場合、封かん具がケース側取付板１３９に引っ掛かり、当該ケース側取付板１３９の取付板挿入孔部１３９Ａから扉側取付板１４１Ａが引き抜かれることを防止することができる。
【０３６３】
よって本発明は、係る構成によっても、上述した第１の実施の形態によって得られる効果と同様の効果を得ることができると共に、これに加えて下部ユニット１４に対する紙幣収納庫の着脱の際、封かん具をユニット筐体３２のユニット筐体右側板３２Ｂから極力離して、当該着脱の邪魔になることを回避することができる。
【０３６４】
（４−３）他の実施の形態３
さらに上述した第１の実施の形態においては、紙幣収納庫２０乃至２３の封かん具取付部４６において扉側取付板４２Ｃとケース側取付板４７とを設けて封かん具５０を取り付けるようにした場合について述べた。
【０３６５】
しかしながら本発明は、これに限らず、外装ケース及び扉の一方に取付板を設けるようにして封かん具５０を取り付けるようにしても良い。
【０３６６】
ここで、外装ケース及び扉のうち一方の当該扉に取付板を設ける場合の構成について説明する。この場合、本発明は、例えば、図２９（Ａ）及び（Ｂ）に示すように、紙幣収納庫１４４において扉１４５の左端中央部に錠１４６を取り付けると共に、当該扉１３５の左上端部及び外装ケース１４７のケース正面１４７Ａの左上端部に封かん具取付部１４８を設けるようにする。
【０３６７】
また本発明は、紙幣収納庫１４４において扉１４５の左下端部及び外装ケース１４７のケース正面１４７Ａの左下端部にも封かん具取付部１４９を設けるようにする。
【０３６８】
そして一方の封かん具取付部１４８では、扉１４５の上面の左端に略短冊状の取付板１４５Ａが収納庫上方向に突出するように設けられると共に、当該取付板１４５Ａの先端部にバンド挿入孔部１４５ＡＸが穿設されている。
【０３６９】
また一方の封かん具取付部１４８では、外装ケース１４７のケース正面１４７Ａの左上端部に、取付板１４５Ａに対応する溝部１４７ＡＶが形成されている。
【０３７０】
さらに一方の封かん具取付部１４８では、外装ケース１４７のケース正面１４７Ａにおいて溝部１４７ＡＶの真上の位置から、当該溝部１４７ＡＶの底面において取付板１４５Ａのバンド挿入孔部１４５ＡＸに対応する位置までに亘りバンド挿入孔部１４７ＡＷが形成されている。
【０３７１】
これに対し他方の封かん具取付部１４９では、扉１４５の下面の左端に略短冊状の取付板１４５Ｂが収納庫下方向に突出するように設けられると共に、当該取付板１４５Ｂの先端部にバンド挿入孔部１４５ＢＸが穿設されている。
【０３７２】
また他方の封かん具取付部１４９では、外装ケース１４７のケース正面１４７Ａの左下端部に、取付板１４５Ｂに対応する溝部１４７ＡＸが形成されている。
【０３７３】
さらに他方の封かん具取付部１４９では、外装ケース１４７のケース正面１４７Ａにおいて溝部１４７ＡＸの真下の位置から、当該溝部１４７ＡＸの底面において取付板１４５Ｂのバンド挿入孔部１４５ＢＸに対応する位置までに亘りバンド挿入孔部１４７ＡＹが形成されている。
【０３７４】
そして図３０に示すように、一方の封かん具取付部１４８は、封かん具５０のバンド部５０Ａをケース正面１４７Ａからバンド挿入孔部１４７ＡＷに通させた後、取付板１４５Ａのバンド挿入孔部１４５ＡＸに通させてヘッド部５０Ｂの孔に差し込ませる。
【０３７５】
これにより一方の封かん具取付部１４８は、封かん具５０により外装ケース１４７のケース正面１４７Ａの左上端部に扉１４５の左上端部の取付板１４５Ａを、バンド挿入孔部１４７ＡＷ、１４５ＡＸを介して縛り付けるようにして、当該封かん具取付部１４８に封かん具５０を取り付けさせる。
【０３７６】
また他方の封かん具取付部１４９についても、特に図示はしないが、一方の封かん具取付部１４８と同様に封かん具５０を取り付けさせる。
【０３７７】
このようにして本発明は、外装ケース１４７に対し扉１４５が閉じられた状態で、一方及び他方の封かん具取付部１４８、１４９にそれぞれ封かん具５０を取り付けさせて、外装ケース１４７に対して扉１４５を封かんすることができる。
【０３７８】
そして本発明は、係る構成によれば、扉１４５を錠１４６が取り付けられている左端部（すなわち、補強板が設けられている部分）の上側及び下側の２箇所で封かんするため、仮に錠１４６がピッキングされ、さらにバール等を用いて扉１４５をこじ開けようとしても、当該２箇所の封かん具５０で扉１４５をロックし続けることができる。
【０３７９】
ところで、本発明は、係る構成のように、外装ケース１４７及び扉１４５の２箇所に封かん具取付部１４８、１４９を設け、これら封かん具取付部１４８、１４９にそれぞれ封かん具５０を取り付けさせるだけではなく、外装ケース１４７及び扉１４５の３箇所以上に封かん具取付部を設け、これら３箇所以上の封かん具取付部にそれぞれ封かん具５０を取り付けさせるようにしても良い。
【０３８０】
また本発明は、係る構成の封かん具取付部１４８、１４９を、外装ケース１４７及び扉１４５の１箇所にのみ設けることもできる。
【０３８１】
この場合、本発明は、例えば、図３１（Ａ）及び（Ｂ）に示すように、紙幣収納庫１５４において扉１５５の左下端部に錠１５６を取り付けるようにする。
【０３８２】
また本発明は、紙幣収納庫１５４において扉１５５の左上端部及び外装ケース１５７のケース正面１５７Ａの左上端部に、図２９（Ａ）及び（Ｂ）について上述した一方の封かん具取付部１４８と同様構成の封かん具取付部１５８を設けるようにする。
【０３８３】
そして封かん具取付部１５８に対しては、図３０について上述した場合と同様に封かん具５０を取り付けさせて、当該封かん具５０により、外装ケース１５７に対して扉１５５を封かんさせる。
【０３８４】
本発明は、係る構成によれば、扉１５５を錠１５６が取り付けられている左端部（すなわち、補強板が設けられている部分）の上側に封かん具取付部１５８を介して封かん具５０を取り付けさせ、また当該左端部の下側を錠１５６によってロックするため、バール等を用いて扉１５５をこじ開けようとしても、封かん具５０及び錠１５６により扉１５５をロックし続けることができる。
【０３８５】
また本発明は、例えば、図３２（Ａ）及び（Ｂ）に示すように、紙幣収納庫１６５において扉１６６の左端中央部に錠１６７を取り付けるようにする。
【０３８６】
また本発明は、紙幣収納庫１６５において扉１６６の左端中央部と、外装ケース１６８のケース正面１６８Ａの左端中央部及びケース左側面１６８Ｂの前端中央部とに封かん具取付部１６９を設けるようにする。
【０３８７】
この場合、封かん具取付部１６９では、扉１６６に錠１６７を介して取付板が設けられている。すなわち、封かん具取付部１６９では、錠１６７において扉１６６の扉内面１６６Ａから突出する他端部に、取付板として機能させるロックレバー１７０が取り付けられており、当該ロックレバー１７０の先端部にバンド挿入孔部１７０Ａが穿設されている。
【０３８８】
また封かん具取付部１６９では、外装ケース１６８においてケース左側面１６８Ｂの前端中央部に当該外装ケース１６８の内部に通じる収納庫右方向と平行な取付板露出孔部１６８ＢＸが穿設されている。
【０３８９】
また封かん具取付部１６９では、外装ケース１６８においてケース正面１６８Ａの左端中央部から取付板露出孔部１６８ＢＸの左端部までが切欠かれて、当該取付板露出孔部１６８ＢＸの開口部がケース左側面１６８Ｂの前端中央部からケース正面１６８Ａの左端中央部までに亘るように形成されている。
【０３９０】
紙幣収納庫１６５は、係る構成のもと、外装ケース１６８に対し扉１６６が閉じられたうえで、錠１６７の鍵穴に差し込まれた鍵が回転操作されると、これに応じてロックレバー１７０を例えば、先端部を収納庫上方向へ向けていた状態から他回転方向へ９０度程度回転させて、当該ロックレバー１７０の先端部を収納庫左方向へ向ける。
【０３９１】
これにより紙幣収納庫１６５は、ロックレバー１７０と扉１６６との間にロックプレート１７１を挟み込むようにして、外装ケース１６８に対し扉１６６を閉じた状態にロックする。
【０３９２】
この際、図３３（Ａ）及び（Ｂ）に示すように、封かん具取付部１６９は、錠１６７による扉１６６のロックに応じてロックレバー１７０の収納庫左方向を向いた先端部（すなわち、バンド挿入孔部１７０Ａが穿設されている先端部）を、取付板露出孔部１６８ＢＸの開口部を介して露出させる。
【０３９３】
そして封かん具取付部１６９は、取付板露出孔部１６８ＢＸの開口部を利用させて封かん具５０のバンド部５０Ａをロックレバー１７０の後側からバンド挿入孔部１７０Ａに通させて当該ロックレバー１７０の前側でヘッド部５０Ｂの孔に差し込ませる。
【０３９４】
これにより封かん具取付部１６９は、封かん具５０をロックレバー１７０の先端部にバンド挿入孔部１７０Ａを介して結び付けさせるようにして、当該封かん具取付部１６９に封かん具５０を取り付けさせる。
【０３９５】
このようにして紙幣収納庫１６５は、封かん具取付部１６９に対し封かん具５０を、取付板露出孔部１６８ＢＸの開口部から例えば、収納庫前方向に突出するように取り付けさせて、当該封かん具５０により外装ケース１６８に対して扉１６６を封かんする。
【０３９６】
本発明は、係る構成によれば、例えば、錠１６７による扉１６６のロックを不正に解除する目的でピッキングによりロックレバー１７０を一回転方向へ回転させようとしても、封かん具５０を取付板露出孔部１６８ＢＸの開口部に引っ掛けるようにして、ロックレバー１７０を回転させないようにすることができる。
【０３９７】
すなわち、本発明は、係る構成によれば、封かん具取付部１６９に取り付けられた封かん具５０により、錠１６７による扉１６６のロックがピッキング等によって不正に解除されることを防止することができる。
【０３９８】
よって本発明は、係る構成によっても、上述した第１の実施の形態によって得られる効果と同様の効果を得ることができる。
【０３９９】
次いで、外装ケース及び扉のうち一方の当該外装ケースに取付板を設ける場合の構成について説明する。この場合、本発明は、例えば、図３４及び図３５に示すように、紙幣収納庫１７５において扉１７６の左端中央部に錠１７７を取り付けると共に、当該扉１７６の左側面の中央部と、外装ケース１７８のケース正面１７８Ａの左端中央部及びケース左側面１７８Ｂの中央部とに封かん具取付部１７９を設けるようにする。
【０４００】
実際に封かん具取付部１７９では、扉１７６の左側面の中央部に略Ｌ字板状の係合板１７６Ａが収納庫左方向へ突出し、先端部を収納庫後方向へ向けて設けられると共に、当該係合板１７６Ａの先端部の外面に例えば、円柱状の扉側連結突起１８０が垂設されている。
【０４０１】
また封かん具取付部１７９では、外装ケース１７８においてケース正面１７８Ａの左端中央部からケース左側面１７８Ｂの前端中央部に亘り、扉１７６の係合板１７６Ａに対応する係合溝部１７８Ｃが形成されている。
【０４０２】
さらに封かん具取付部１７９では、外装ケース１７８のケース左側面１７８Ｂの中央部において、係合溝部１７８Ｃの後側に、一面にバンド挿入孔部１８１Ａが穿設された取付板１８１と、例えば、円柱状のケース側連結突起１８２とが収納庫後方向に沿って順に垂設されている。
【０４０３】
さらにまた封かん具取付部１７９は、例えば、長方形状の連結板１８３を有している。この場合、連結板１８３は、一面に、扉側連結突起１８０、取付板１８１、ケース側連結突起１８２に対応する３つの挿入孔部１８３Ａ乃至１８３Ｃが、当該連結板１８３の長手方向に沿って順に穿設されている。
【０４０４】
紙幣収納庫１７５は、係る構成のもと、外装ケース１７８に対し扉１７６が閉じられると、係合板１７６Ａを係合溝部１７８Ｃに嵌め入れるようにして、当該係合板１７６Ａの根元部の外面をケース正面１７８Ａと面一にすると共に、先端部の外面をケース左側面１７８Ｂと面一にする。
【０４０５】
この状態で封かん具取付部１７９は、連結板１８３の複数の挿入孔部１８３Ａ乃至１８３Ｃにそれぞれ対応する扉側連結突起１８０、取付板１８１、ケース側連結突起１８２を挿入させるようにして当該連結板１８３の他面を係合板１７６Ａの先端部の外面及びケース左側面１７８Ｂに当接させる。
【０４０６】
これにより封かん具取付部１７９は、外装ケース１７８と扉１７６とを連結板１８３を介して連結させる（すなわち、一体化する）と共に、当該連結板１８３の一面から取付板１８１のバンド挿入孔部１８１Ａが穿設されている先端部を突出させる。
【０４０７】
そのうえで封かん具取付部１７９は、封かん具５０のバンド部５０Ａを取付板１８１のバンド挿入孔部１８１Ａに通させた後、ヘッド部５０Ｂの孔に差し込ませる。
【０４０８】
このようにして封かん具取付部１７９は、封かん具５０を取付板１８１に、バンド挿入孔部１８１Ａを介して結び付けるように取り付けさせて、当該封かん具５０により外装ケース１７８に対して扉１７６を封かんする。
【０４０９】
本発明は、係る構成によれば、例えば、錠１７７による扉１７６のロックを不正に解除し、さらに外装ケース１７８に対し扉１７６を開くために連結板１８３を取り外そうとしても、封かん具５０を連結板１８３の挿入孔部１８３Ｂからの取付板１８１の抜止として機能させ、これに応じて他の挿入孔部１８３Ａ及び１８３Ｃからの扉側連結突起１８０及びケース側連結突起１８２の抜止としても機能させて、当該連結板１８３の取り外しを阻止することができる。
【０４１０】
すなわち、本発明は、係る構成によれば、外装ケース１７８及び扉１７６から連結板１８３を取り外そうとしても、封かん具取付部１６９に取り付けられている封かん具５０により、当該連結板１８３の取り外しを阻止して、外装ケース１７８と扉１７６とを一体化したまま、当該扉１６６をロックし続けることができる。
【０４１１】
よって本発明は、係る構成によっても、上述した第１の実施の形態によって得られる効果と同様の効果を得ることができる。
【０４１２】
また本発明は、例えば、図３６（Ａ）及び（Ｂ）に示すように、紙幣収納庫１９０において扉１９１の左端中央部に錠１９２を取り付けると共に、当該扉１９１において錠１９２の下近傍及び外装ケース１９３のケース正面１９３Ａの左端中央部の下寄りに封かん具取付部１９４を設けるようにする。
【０４１３】
この場合、封かん具取付部１９４では、外装ケース１９３において左内壁の中央部下寄りに略Ｌ字状の取付板１９５が、その先端部をケース正面１９３Ａの開口部１９３ＡＸから迫り出せて設けられている。
【０４１４】
そして取付板１９５は、先端部においてケース正面１９３Ａの開口部１９３ＡＸから迫り出している部分にバンド挿入孔部１９５Ａが穿設されている。
【０４１５】
また封かん具取付部１９４では、扉１９１の扉外面１９１Ａの左端中央部の下寄りに、取付板１９５の先端部に対応する取付板挿入孔部１９１ＡＸが穿設されている。
【０４１６】
紙幣収納庫１９０は、係る構成のもと、外装ケース１９３に対し扉１９１が閉じられると、取付板１９５の先端部を、扉内面１９１Ｂ側から取付板挿入孔部１９１ＡＸに通して扉外面１９１Ａから突出させる。
【０４１７】
これにより封かん具取付部１９４は、特に図示はしないが、扉１９１の扉外面１９１Ａ側で、封かん具５０のバンド部５０Ａを、取付板１９５の先端部に穿設されているバンド挿入孔部１９５Ａに通させた後、ヘッド部５０Ｂの孔に差し込ませる。
【０４１８】
このようにして封かん具取付部１９４は、封かん具５０を取付板１９５に、バンド挿入孔部１９５Ａを介して結び付けるように取り付けさせて、当該封かん具５０により外装ケース１９３に対して扉１９１を封かんする。
【０４１９】
本発明は、係る構成によれば、例えば、錠１９２による扉１９１のロックを不正に解除して扉１９１を開こうとしても、封かん具５０を扉１９１の取付板挿入孔部１９１ＡＸからの取付板１９５の抜止として機能させて、当該扉１９１が開かれることを阻止することができる。
【０４２０】
すなわち、本発明は、係る構成によれば、外装ケース１９３に対し扉１９１を不正に開こうとしても、封かん具取付部１９４に取り付けられている封かん具５０により、扉１９１を、開かれることを阻止してロックし続けることができる。
【０４２１】
よって本発明は、係る構成によっても、上述した第１の実施の形態によって得られる効果と同様の効果を得ることができる。
【０４２２】
ところで、本発明は、例えば、図３６（Ａ）及び（Ｂ）との対応部分に同一符号を付した図３７（Ａ）及び（Ｂ）に示すように、封かん具取付部２００において、扉２０１の扉外面２０１Ａに、取付板（以下、これをケース側取付板とも呼ぶ）１９５の先端部に対応する取付板挿入孔部２０１ＡＸを穿設すると共に、その取付板挿入孔部２０１ＡＸの右隣（又は左隣）に取付板（以下、これを扉側取付板とも呼ぶ）２０２を垂設するようにする。
【０４２３】
また本発明は、扉側取付板２０２の一面にもバンド挿入孔部２０２Ａを穿設する。そして本発明は、外装ケース１９３に対し扉２０１が閉じられてケース側取付板１９５が扉２０１の取付板挿入孔部２０１ＡＸに通されると、当該ケース側取付板１９５と扉側取付板２０２とを隣接させる。
【０４２４】
これにより本発明は、封かん具取付部２００に封かん具５０を、バンド部５０Ａをケース側取付板１９５及び扉側取付板２０２のバンド挿入孔部１９５Ａ、２０２Ａに順に通させるようにして取り付けさせる。
【０４２５】
すなわち、本発明は、封かん具取付部２００において封かん具５０により扉側取付板２０２にケース側取付板１９５を、バンド挿入孔部２０２Ａ、１９５Ａを介して縛り付けるようにして、当該封かん具取付部２００に封かん具５０を取り付けさせて、扉２０１を封かんさせる。
【０４２６】
本発明は、係る構成によっても、扉２０１を不正に開こうとした場合、封かん具取付部２００に取り付けられている封かん具５０により、当該扉２０１を、開かれることを阻止してロックし続けることができ、上述した第１の実施の形態によって得られる効果と同様の効果を得ることができる。
【０４２７】
なお、本発明は、外装ケースに対し取付板を開口部から迫り出させるようにして設ける必要はなく、例えば、外装ケースのケース正面の左端中央部に溝部を形成すると共に、当該溝部の底に平板状の取付板を垂設するようにしても良い。
【０４２８】
そして本発明は、外装ケースの係る構成に応じて、扉の左側面の中央部に、当該外装ケースの溝部に対応する（すなわち、溝部に嵌合可能な）突出板を設け、当該突出板に、取付板を通すための取付板挿入孔部を穿設するようにしても良い。
【０４２９】
すなわち、本発明は、外装ケースにおいて、扉の左端中央部に設けられる錠のロックレバーの近傍であり、ロックプレートが設けられる等して比較的堅固に形成された部分に取付板を設けるようにしても良い。
【０４３０】
（４−４）他の実施の形態４
さらに上述した第１の実施の形態においては、補助収納庫２４において外装ケース５５に、封かん具５０を収納する封かん具収納溝部５５Ｄを設けるようにした場合について述べた。
【０４３１】
しかしながら本発明は、これに限らず、補助収納庫２４において外装ケース５５に封かん具収納溝部５５Ｄと共に、当該封かん具収納溝部５５Ｄから、これに収納した封かん具５０が飛び出すことを防止するための飛出防止部を設けるようにしても良い。
【０４３２】
この場合、本発明は、封かん具取付部を例えば、図１０との対応部分に同一符号を付した図３８に示すように構成する。
【０４３３】
係る構成の封かん具取付部２１０では、外装ケース２１１のケース左側面２１１Ａに、補助収納庫２４の場合と同様に封かん具収納溝部２１１ＡＸが形成される。
【０４３４】
また封かん具取付部２１０では、封かん具収納溝部２１１ＡＸの開口部に飛出防止部として、細長い板状の飛出防止レバー２１２を設ける。
【０４３５】
すなわち、外装ケース２１１は、封かん具収納溝部２１１ＡＸの開口部において後縁の所定位置に、図示しない回動軸を収納庫上方向と平行にして回動可能に支持している。
【０４３６】
そして飛出防止レバー２１２は、その一端部が回動軸に取り付けられている。これにより飛出防止レバー２１２は、回動軸を中心にして他端部を封かん具収納溝部２１１ＡＸの前側の内壁に接触させる接触方向、及びこれとは逆の当該他端部を前側の内壁から離隔させる離隔方向へ回動することができる。
【０４３７】
また飛出防止レバー２１２の他端部には、縁略Ｕ字状に屈曲されてばね性を有する屈曲部２１２Ａが形成されており、当該屈曲部２１２Ａの凸面を封かん具収納溝部２１１ＡＸに向けている。
【０４３８】
因みに、以下の説明では、飛出防止レバー２１２の屈曲部２１２Ａにおいて当該飛出防止レバー２１２の一端側を根元部とも呼び、他端側を先端部とも呼ぶ。
【０４３９】
さらに飛出防止レバー２１２の屈曲部２１２Ａは、先端部の所定位置が根元側にさらに折り曲げられると共に、凸面において先端寄りの所定位置に係止凸部２１２ＡＸが設けられている。
【０４４０】
そして外装ケース２１１の封かん具収納溝部２１１ＡＸには、前側の内面に飛出防止レバー２１２の係止凸部２１２ＡＸに対応する係止凹部２１１ＡＹが形成されている。
【０４４１】
よって封かん具取付部２１０は、外装ケース２１１に対し扉５７が閉じられた状態で図示しない封かん具が取り付けられた場合、当該封かん具を封かん具収納溝部２１１ＡＸに収納させたうえで、飛出防止レバー２１２を接触方向へ回転させるように操作させて屈曲部２１２Ａを封かん具収納溝部２１１ＡＸに押し込ませる。
【０４４２】
これにより封かん具取付部２１０は、飛出防止レバー２１２の一端部の表面及び屈曲部２１２Ａの先端をケース左側面２１１Ａと面一にし、又は封かん具収納溝部２１１ＡＸに僅かに入り込ませた状態で、屈曲部２１２Ａのばね性により、係止凸部２１２ＡＸを封かん具収納溝部２１１ＡＸの係止凹部２１１ＡＹに係止する。
【０４４３】
このようにして封かん具取付部２１０は、飛出防止レバー２１２によって封かん具収納溝部２１１ＡＸの開口部を部分的に塞いで、当該封かん具収納溝部２１１ＡＸから封かん具が飛び出すことを防止することができる。
【０４４４】
また封かん具取付部２１０は、例えば、封かん具が正規に取り外される場合、係員に飛出防止レバー２１２の屈曲部２１２Ａの先端部分を後側に押させることで、封かん具収納溝部２１１ＡＸの係止凹部２１１ＡＹから係止凸部２１２ＡＸを容易に外して、そのまま離隔方向へ回転させるように操作させる。
【０４４５】
これにより封かん具取付部２１０は、係員に封かん具収納溝部２１１ＡＸから封かん具を引き出させて破損させ易くすることができる。
【０４４６】
本発明は、係る構成によれば、下部ユニット１４に対する補助収納庫の着脱の際や、当該補助収納庫の運搬の際等に、封かん具収納溝部２１１ＡＸから封かん具が飛び出して邪魔になることを防止することができる。
【０４４７】
また本発明は、封かん具取付部を例えば、図３９に示すように構成することもできる。係る構成の封かん具取付部２１５では、外装ケース２１６のケース左側面２１６Ａに、補助収納庫２４の場合と同様に封かん具収納溝部２１６ＡＸが形成される。
【０４４８】
また封かん具取付部２１５では、封かん具収納溝部２１６ＡＸの底面２１６ＡＹ（すなわち、収納庫左方向を向いた面）に飛出防止部として、ばね性を有する一対の飛出防止アーム２１７、２１８を、封かん具５０のヘッド部５０Ｂの幅に対応する間隔で垂設する。
【０４４９】
そして一対の飛出防止アーム２１７、２１８の先端部には、爪部２１７Ａ、２１８Ａが、当該一対の飛出防止アーム２１７、２１８の間隔を部分的に狭めるように対向させて突設されている。
【０４５０】
よって封かん具取付部２１５は、外装ケース２１６に対し扉が閉じられた状態で封かん具５０が取り付けられて封かん具収納溝部２１６ＡＸに収納される場合、当該封かん具５０のヘッド部５０Ｂを一対の飛出防止アーム２１７、２１８の爪部２１７Ａ、２１８Ａに押し付けさせる。
【０４５１】
これにより封かん具取付部２１５は、封かん具５０のヘッド部５０Ｂで一対の飛出防止アーム２１７、２１８の爪部２１７Ａ、２１８Ａの間を一時的に押し広げさせるようにして、当該ヘッド部５０Ｂを一対の飛出防止アーム２１７、２１８の間の爪部２１７Ａ、２１８Ａよりも奥側に嵌め込ませる。
【０４５２】
このようにして封かん具取付部２１５は、一対の飛出防止アーム２１７、２１８の間の爪部２１７Ａ、２１８Ａよりも奥側の部分で封かん具５０のヘッド部５０Ｂを抱き抱えるように挟持して、封かん具収納溝部２１６ＡＸから封かん具５０が飛び出すことを防止することができる。
【０４５３】
また封かん具取付部２１５は、封かん具５０が正規に取り外される場合、例えば、係員に指先で一対の飛出防止アーム２１７、２１８の爪部２１７Ａ、２１８Ａの間を一時的に押し広げさせるようにして、当該一対の飛出防止アーム２１７、２１８の間から封かん具５０のヘッド部５０Ｂを引き抜かせる。
【０４５４】
これにより封かん具取付部２１０は、係員に封かん具収納溝部２１６ＡＸから封かん具５０を引き出させて破損させ易くすることができる。
【０４５５】
本発明は、係る構成によっても、下部ユニット１４に対する補助収納庫の着脱の際や、当該補助収納庫の運搬の際等に、封かん具収納溝部２１６ＡＸから封かん具５０が飛び出して邪魔になることを防止することができる。
【０４５６】
さらに本発明は、封かん具取付部を例えば、図４０に示すように、図３８に示す封かん具取付部２１０の構成と、図３９に示す封かん具取付部２１５の構成とを組み合わせるように構成することもできる。
【０４５７】
すなわち、係る構成の封かん具取付部２２０では、外装ケース２２１のケース左側面２２１Ａに、補助収納庫２４の場合と同様に封かん具収納溝部２２１ＡＸが形成される。
【０４５８】
そして封かん具取付部２２０では、封かん具収納溝部２２１ＡＸの開口部に、図３８に示す封かん具取付部２１０の場合と同様に、飛出防止部としての飛出防止レバー２２２を回動可能に取り付ける。
【０４５９】
また係る封かん具取付部２２０では、図３９に示す封かん具取付部２１５の場合と同様に、封かん具収納溝部２２１ＡＸの底面２２１ＡＹに飛出防止部としての一対の飛出防止アーム２２３、２２４を垂設する。
【０４６０】
よって封かん具取付部２２０は、外装ケース２２１に対し扉が閉じられた状態で封かん具５０が取り付けられて封かん具収納溝部２２１ＡＸに収納される場合、上述と同様に当該封かん具５０のヘッド部５０Ｂを一対の飛出防止アーム２２３、２２４の間に嵌め込ませる。
【０４６１】
そのうえで封かん具取付部２２０は、上述と同様に、飛出防止レバー２２２を接触方向へ回転させるように操作させて屈曲部２２２Ａを封かん具収納溝部２２１ＡＸに押し込ませる。
【０４６２】
本発明は、係る構成によっても、下部ユニット１４に対する補助収納庫の着脱の際や、当該補助収納庫の運搬の際等に、封かん具収納溝部２２１ＡＸから封かん具５０が飛び出して邪魔になることを防止することができる。
【０４６３】
（４−５）他の実施の形態５
さらに上述した第１の実施の形態においては、紙幣収納庫２０乃至２３及び補助収納庫２４の封かん具取付部４６、６５乃至６７に結束バンドでなる封かん具５０を取り付けさせるようにした場合について述べた。
【０４６４】
しかしながら本発明は、これに限らず、例えば、図６との対応部分に同一符号を付した図４１（Ａ）及び（Ｂ）に示すように、紙幣収納庫２０の封かん具取付部４６に、スリーブを介して一端及び他端を連結して環状にしたワイヤでなる封かん具２３０や、南京錠でなる封かん具２３１を取り付けさせるようにしても良い。
【０４６５】
また本発明は、例えば、封かん具取付部４６、６５乃至６７に南京錠でなる封かん具２３１と共に、結束バンドでなる封かん具５０や、スリーブを介して一端及び他端を連結して環状にしたワイヤでなる封かん具２３０を二重に取り付けさせるようにしても良い。
【０４６６】
さらに本発明は、上述した第３の実施の形態による紙幣収納庫１１２乃至１１５の封かん具取付部１２７に対しても、スリーブを介して一端及び他端を連結して環状にしたワイヤでなる封かん具２３０を取り付けさせるようにしても良い。
【０４６７】
本発明は、係る構成によっても、封かん具取付部４６、１２７、６５乃至６７に取り付けられた封かん具２３０、２３１により、外装ケース４０、５５、１２０に対して扉４２、５７乃至５９、１２２を封かんすることができ、上述した第１及び第３の実施の形態によって得られる効果と同様の効果を得ることができる。
【０４６８】
（４−６）他の実施の形態６
さらに上述した第１の実施の形態においては、紙幣収納庫２０乃至２３の外装ケースを略直方体状に形成するようにした場合について述べた。
【０４６９】
しかしながら本発明は、これに限らず、例えば、図３１（Ａ）及び（Ｂ）について上述したように紙幣収納庫１５４において扉１５５の左上端部及び外装ケース１５７のケース正面１５７Ａの左上端部に封かん具取付部１５８を設けるような場合、図４２に示すように、複数の紙幣収納庫２４０乃至２４３の略直方体状の外装ケース２４４乃至２４７においてそれぞれケース背面２４４Ａ乃至２４７Ａの上端部に凹部２４４ＡＸ乃至２４７ＡＸを形成するようにしても良い。
【０４７０】
本発明は、係る構成によれば、複数の紙幣収納庫２４０乃至２４３を下部ユニットのユニット筐体２４９に前から後へ順に並べるように配置する際、外装ケース２４５乃至２４７の凹部２４５ＡＸ乃至２４７ＡＸに、前側で隣接する外装ケース２４４乃至２４６の封かん具取付部に取り付けられた封かん具５０を位置させることができる。
【０４７１】
よって本発明は、係る構成によれば、複数の紙幣収納庫２４０乃至２４３において封かん具取付部に取り付けられた封かん具５０が、それぞれケース正面２４４Ｂ乃至２４７Ｂから前へ突出していても、ユニット筐体２４９に対し複数の紙幣収納庫２４０乃至２４３を前後で近接させて配置することができ、そのユニット筐体２４９が前後に長くなることを回避することができる。
【０４７２】
（４−７）他の実施の形態７
さらに上述した第１の実施の形態においては、下部ユニット１４に、ユニット筐体左側板３２Ａの上端にレール配置板３２ＡＸが設けられると共に、ユニット筐体右側板３２Ｂの高さがユニット筐体左側板３２Ａの高さよりも低く形成されたユニット筐体３２を設けるようにした場合について述べた。
【０４７３】
しかしながら本発明は、これに限らず、例えば、図４３に示すように、下部ユニットに、ユニット筐体左側板２５０Ａ及びユニット筐体右側板２５０Ｂが共に紙幣収納庫２５１の高さとほぼ等しく形成されると共に、当該ユニット筐体左側板２５０Ａ及びユニット筐体右側板２５０Ｂの上端にそれぞれレール配置板２５０ＡＸ、２５０ＢＸが設けられたユニット筐体２５０を設けるようにしても良い。
【０４７４】
そして本発明は、下部ユニットに係る構成のユニット筐体２５０を設ける場合、例えば、図４４に示すように、紙幣収納庫２５１の外装ケース２５２を略直方体状に形成するものの、ケース左側面２５２Ａに凹部２５２ＡＸを設け、その凹部を利用して封かん具取付部２５３に封かん具５０をケース左側面２５２Ａよりも突出しないように取り付けるようにしても良い。
【０４７５】
これにより本発明は、下部ユニットに図４３に示すようなユニット筐体２５０を設ける場合でも、当該ユニット筐体２５０においてユニット筐体左側板２５０Ａ及びユニット筐体右側板２５０Ｂの配置間隔を紙幣収納庫２５１の幅（すなわち、外装ケース２５２の左右の長さ）とほぼ等しくして、複数の紙幣収納庫２５１を前から後へ順に並べるように配置することができる。すなわち、本発明は、下部ユニットのユニット筐体２５０が幅方向に大型化することを回避することができる。
【０４７６】
そして本発明は、係る構成のユニット筐体２５０（図４３）においてユニット筐体右側板２５０Ｂの表面に、当該ユニット筐体２５０内に配置される複数の紙幣収納庫２５１の封かん具取付部２５３に対応させて複数の窓部２５０ＢＹを前後に並べるように形成するようにしても良い。
【０４７７】
また本発明は、ユニット筐体２５０のユニット筐体右側板２５０Ｂの表面に、補助収納庫２４の複数の封かん具取付部６５乃至６７に対応させて複数の窓部２５０ＢＹを上下に並べるように形成するようにしても良い。
【０４７８】
因みに、本発明は、ユニット筐体２５０のユニット筐体右側板２５０Ｂの表面に、複数の紙幣収納庫２５１の封かん具取付部２５３を一括して視認可能な前後に長い１つの窓部を形成すると共に、補助収納庫２４の複数の封かん具取付部６５乃至６７を一括して視認可能な上下に長い１つの窓部を形成するようにしても良い。
【０４７９】
本発明は、係る構成によれば、メインフレームから下部ユニットを引き出した際、ユニット筐体２５０から紙幣収納庫２５１を取り出す前に、窓部２５０ＢＹを介して封かん具５０の破損の有無を確認させることができる。
【０４８０】
（４−８）他の実施の形態８
さらに上述した第１乃至第３の実施の形態においては、下部ユニット１４、７２のユニット筐体３２、８０においてユニット筐体左側板３２Ａの上端のレール配置板３２ＡＸ、又はユニット筐体右側板８０Ａの上端のレール配置板８０ＡＸに処理ユニット下側搬送部２７を開閉可能に取り付けるようにした場合について述べた。
【０４８１】
しかしながら本発明は、これに限らず、例えば、図４５に示すように、下部ユニットのユニット筐体２６０を、ユニット筐体左側板２６０Ａの上端にレール配置板２６０ＡＸを設けると共に、ユニット筐体右側板２６０Ｂの高さをユニット筐体左側板２６０Ａの高さよりも低く形成し、さらに後板２６０Ｃの上端に搬送部取付板２６０ＣＸを設ける。
【０４８２】
そして本発明は、ユニット筐体２６０において搬送部取付板２６０ＣＸに左右２個のヒンジ部２６１を介して（すなわち、預払機左方向と平行なヒンジ軸を中心にして）処理ユニット下側搬送部２７を開閉可能に取り付けるようにしても良い。
【０４８３】
また本発明は、例えば、図５と対応部分に同一符号を付した図４６に示すように、下部ユニットのユニット筐体２６２を、ユニット筐体左側板２６２Ａの上端にレール配置板を設けずに構成する。
【０４８４】
そして本発明は、処理ユニット下側搬送部２７をメインフレーム２６３の上端部に固定し、当該メインフレーム２６３から下部ユニットとしてユニット筐体２６２のみを引出及び収納するようにしても良い。
【０４８５】
（４−９）他の実施の形態９
さらに上述した第１乃至第３の実施の形態においては、本発明による紙葉類収納庫を、図１乃至図４７について上述した現金自動預払機１、７０、１１０に設けられた紙幣収納庫２０乃至２３、７３乃至７６、１１２乃至１１５及び補助収納庫２４に適用するようにした場合について述べた。
【０４８６】
しかしながら本発明は、これに限らず、紙葉類収納庫を例えば、図４７に示すように、現金自動預払機や現金自動支払機（CD：Cash  Dispenser）に設けられた縦型の収納庫配置筐体２６５に取外可能に配置される紙幣収納庫や補助収納庫に適用することができる。
【０４８７】
また本発明は、紙葉類収納庫を、一方の短辺を搬送方向に向けた搬送姿勢で搬送される長方形の紙幣を、その搬送姿勢のまま取り込んで収納する紙幣収納庫や、切符やチケット、コピー用紙、葉書及び有価証券等の紙葉類を収納する紙葉類収納庫等のように、外装ケース、扉及び錠を有していれば、この他種々の構成の紙葉類収納庫にも広く適用することができる。
【０４８８】
そして本発明は、本発明による紙葉類収納庫を、このように外装ケース、扉及び錠を有する種々の構成の紙葉類収納庫の何れに適用した場合も、第１乃至第３の実施の形態によって得られる効果と同様の効果を得ることができる。
【０４８９】
（４−１０）他の実施の形態１０
さらに上述した第１乃至第３の実施の形態においては、本発明による紙葉類取扱装置を、図１乃至図４７について上述した現金自動預払機１、７０、１１０に適用するようにした場合について述べた。
【０４９０】
しかしながら本発明は、これに限らず、長方形の紙幣を、一方の長辺を左側に位置させ、かつ他方の長辺を右側に位置させて（すなわち、紙幣短手方向を預払機左方向とほぼ平行にして）一方の短辺を搬送方向に向けた搬送姿勢で搬送して、紙幣投入取出部、鑑別部、一時保留部、複数の紙幣収納庫及び補助収納庫（リジェクト庫、取忘庫及び補充回収庫）において当該紙幣を、その搬送姿勢に応じて紙幣短手方向を預払機左方向とほぼ平行にした姿勢で取り扱う現金自動預払機に適用することができる。
【０４９１】
また本発明は、紙葉類取扱装置を、長方形の紙幣を、一方の長辺や一方の短辺を搬送方向に向けて搬送するようにして扱う現金自動支払機や両替機に適用することもできる。
【０４９２】
さらに本発明は、紙葉類取扱装置を、電車の切符や観劇のチケット等を販売する券売機、精算機、自動販売機、パチンコ台やスロット台のような遊戯機、コピー機、葉書取扱装置等のように、紙幣や切符、チケット等の種々の紙葉類を扱うこの他種々の構成の紙葉類取扱装置にも広く適用することができる。
【０４９３】
（４−１１）他の実施の形態１１
さらに上述した第１乃至第３の実施の形態においては、外装ケースとして、図１乃至図４７について上述した金属板により上下に長い略直方体状に形成された外装ケース４０、５５、９０、１２１、１３７、１４７、１５７、１６８、１７８、１９３、２１１、２１６、２２１、２４４乃至２４７、２５２を適用するようにした場合について述べた。
【０４９４】
しかしながら本発明は、これに限らず、左右や前後に長い略直方体状の外装ケースや、略円筒状の外装ケース、取手のない外装ケース、上面に扉が取り付けられた外装ケース、樹脂材により略直方体状に一体成形された外装ケース等のように、この他種々の形状及び構成の外装ケースを広く適用することができる。
【０４９５】
（４−１２）他の実施の形態１２
さらに上述した第１乃至第３の実施の形態においては、外装ケースに開閉可能に取り付けられた扉として、図１乃至図４７について上述した略長方形状又は略四角形状の金属板によって形成された扉４２、５７乃至５９、９２、１２２、１３５、１４１、１４５、１５７、１６６、１７６、１９１を適用するようにした場合について述べた。
【０４９６】
しかしながら本発明は、これに限らず、外装ケースに被せるように閉じられるバット状の扉や、外装ケースに対しスライドするようにして開閉可能な扉、樹脂材により略四角板状に形成された扉等のように、この他種々の形状及び構成の扉を広く適用することができる。
【０４９７】
（４−１３）他の実施の形態１３
さらに上述した第１乃至第３の実施の形態においては、外装ケースに対し扉を閉じた状態にロックするための錠として、図１乃至図４７について上述したディンプルキー等の鍵に対応するシリンダ錠のような錠４３、６０乃至６２、９３、１２３、１３６、１４２、１４６、１５４、１６７、１７７、１９２を適用するようにした場合について述べた。
【０４９８】
しかしながら本発明は、これに限らず、ダイヤル錠、テンキー錠等のように、この他種々の構成及び形状の錠を広く適用することができる。
【０４９９】
（４−１４）他の実施の形態１４
さらに上述した第１乃至第３の実施の形態においては、外装ケースに対して閉じられた扉を封かんするための封かん具を、外装ケースに対し扉が閉じられていることを示し、かつ当該外装ケースに対し扉を閉じた状態にロックするように取り付けさせるための封かん具取付部として、図１乃至図４７について上述した封かん具取付部４６、６５乃至６７、１０７、１２７、１３０、１３８、１４０、１４８、１４９、１５８、１６９、１７９、１９４、２００、２１０、２１５、２２０、２５３を適用するようにした場合について述べた。
【０５００】
しかしながら本発明は、これに限らず、外装ケースに対して閉じられた扉を封かんするための封かん具を、外装ケースに対し扉が閉じられていることを示し、かつ当該外装ケースに対し扉を閉じた状態にロックするように取り付けさせることができれば、この他種々の構成の封かん具取付部を広く適用することができる。
【０５０１】
（４−１５）他の実施の形態１５
さらに上述した第１乃至第３の実施の形態においては、外装ケースに対して閉じられた扉を封かんするための封かん具として、図１乃至図４７について上述した樹脂製の結束バンドでなる封かん具５０を適用するようにした場合について述べた。
【０５０２】
しかしながら本発明は、これに限らず、金属製の結束バンドや、封かん具取付部から一度、不正に取り外されると、他の結束バンドを取り付けるようにしても偽装し得ないようにするための固有の識別情報が付された結束バンド、また他の実施の形態５で上述した、スリーブを介して一端及び他端を連結して環状にしたワイヤでなる封かん具２３０や、南京錠でなる封かん具２３１等のように、この他種々の構成の封かん具を広く適用することができる。
【０５０３】
（４−１６）他の実施の形態１６
さらに上述した第１乃至第３の実施の形態においては、錠に取り付けられ、外装ケースに対し扉を閉じた状態にロックするための閂として、図１乃至図４７について上述した鍵の回転操作に連動して回転する細長い金属板でなるロックレバー４４、１０１乃至１０３、１２４、１７０を適用するようにした場合について述べた。
【０５０４】
しかしながら本発明は、これに限らず、鍵の回転操作に連動してスライドするように変位するデッドボルト等のように、この他種々の構成の閂を広く適用することができる。
【０５０５】
（４−１７）他の実施の形態１７
さらに上述した第１乃至第３の実施の形態においては、外装ケース及び扉の少なくとも一方に設けられ、封かん具を取り付けさせるための孔部が穿設された取付板として、図１乃至図４７について上述した短冊状や略Ｌ字状等の扉側取付板４２Ｃ、５７Ｂ、１３５Ａ、１４１Ａ、２０２、ケース側取付板４７、６８、１３１、１３９、１９５、取付板１４５Ａ、１４５Ｂ、１８１、１９５を適用するようにした場合について述べた。
【０５０６】
しかしながら本発明は、これに限らず、平板の一面にリブを設けるようにして形成された取付板等のように、この他種々の構成の取付板を広く適用することができる。
【０５０７】
（４−１８）他の実施の形態１８
さらに上述した第１乃至第３の実施の形態においては、封かん具取付部に取り付けられた封かん具を収納する封かん具収納溝部として、図１乃至図４７について上述した略Ｌ字状の封かん具収納溝部５５Ｄ、２１１ＡＸ、２１６ＡＸ、２２１ＡＸを適用するようにした場合について述べた。
【０５０８】
しかしながら本発明は、これに限らず、この他種々の形状の封かん具収納溝部を広く適用することができる。
【０５０９】
（４−１９）他の実施の形態１９
さらに上述した第１乃至第３の実施の形態においては、封かん具収納溝部に収納された封かん具が当該封かん具収納溝部から飛び出すことを防止するための飛出防止部として、図１乃至図４７について上述した飛出防止レバー２１２、２２２及び飛出防止アーム２１７、２１８、２２３、２２４を適用するようにした場合について述べた。
【０５１０】
しかしながら本発明は、これに限らず、封かん具収納溝部を閉塞する蓋部のように、この他種々の構成の飛出防止部を広く適用することができる。
【０５１１】
（４−２０）他の実施の形態２０
さらに上述した第１乃至第３の実施の形態においては、外装ケース内に取扱対象の紙葉類を収納する紙幣類収納庫が取外可能に配置される収納庫配置部として、図１乃至図４７について上述したユニット筐体３２、８０、２４９、２５０、２６０、２６２を適用するようにした場合について述べた。
【０５１２】
しかしながら本発明は、これに限らず、複数の紙幣収納庫を、扉を前（又は左、又は右）に向けて順に配置されるユニット筐体や、縦長な複数段の棚状の収納庫配置筐体等のように、この他種々の構成の収納庫配置部を広く適用することができる。
【０５１３】
（４−２１）他の実施の形態２１
さらに上述した第１乃至第３の実施の形態においては、紙幣類収納庫の外装ケース内に収納する取扱対象の紙葉類として、図１乃至図４７について上述した紙幣を適用するようにした場合について述べた。
【０５１４】
しかしながら本発明は、これに限らず、切符、チケット、コピー用紙、葉書、有価証券等のように、この他種々の紙葉類を広く適用することができる。
【産業上の利用可能性】
【０５１５】
本発明は、紙幣、切符、チケット、コピー用紙、葉書、有価証券等の紙葉類を収納する紙葉類収納庫と、紙葉類収納庫に収納された紙幣、切符、チケット、コピー用紙、葉書、有価証券等の紙葉類を取り扱う紙葉類取扱装置とに利用することができる。
【符号の説明】
【０５１６】
１、７０、１１０……現金自動預払機、１４、７２……下部ユニット、３２、８０、２４９、２５０、２６０、２６２……ユニット筐体、２０乃至２３、７３乃至７６、１１２乃至１１５、１３４、１４４、１５４、１６５、１７５、１９０、２４０乃至２４３、２５１、２６６……紙幣収納庫、２４……補助収納部、４０、５５、９０、１２１、１３７、１４７、１５７、１６８、１７８、１９３、２１１、２１６、２２１、２４４乃至２４７、２５２……外装ケース、４２、５７乃至５９、９２、１２２、１３５、１４１、１４５、１５７、１６６、１７６、１９１……扉、４２Ｃ、５７Ｂ、１３５Ａ、１４１Ａ、２０２……扉側取付板、４３、６０乃至６２、９３、１２３、１３６、１４２、１４６、１５４、１６７、１７７、１９２……錠、４４、１０１乃至１０３、１２４、１７０……ロックレバー、４５、１２５、１７１……ロックプレート、４６、６５乃至６７、１０７、１２７、１３０、１３８、１４０、１４８、１４９、１５８、１６９、１７９、１９４、２００、２１０、２１５、２２０、２５３……封かん具取付部、４７、６８、１３１、１３９、１９５……ケース側取付板、５０、２３０、２３１……封かん具、５５Ｄ、２１１ＡＸ、２１６ＡＸ、２２１ＡＸ……封かん具収納溝部、１４５Ａ、１４５Ｂ、１８１、１９５……取付板、２１２、２２２……飛出防止レバー、２１７、２１８、２２３、２２４……飛出防止アーム、２６５……収納庫配置筐体。
【図１】
0005527347.tif 000002
【図２】
0005527347.tif 000003
【図３】
0005527347.tif 000004
【図４】
0005527347.tif 000005
【図５】
0005527347.tif 000006
【図６】
0005527347.tif 000007
【図７】
0005527347.tif 000008
【図８】
0005527347.tif 000009
【図９】
0005527347.tif 000010
【図１０】
0005527347.tif 000011
【図１１】
0005527347.tif 000012
【図１２】
0005527347.tif 000013
【図１３】
0005527347.tif 000014
【図１４】
0005527347.tif 000015
【図１５】
0005527347.tif 000016
【図１６】
0005527347.tif 000017
【図１７】
0005527347.tif 000018
【図１８】
0005527347.tif 000019
【図１９】
0005527347.tif 000020
【図２０】
0005527347.tif 000021
【図２１】
0005527347.tif 000022
【図２２】
0005527347.tif 000023
【図２３】
0005527347.tif 000024
【図２４】
0005527347.tif 000025
【図２５】
0005527347.tif 000026
【図２６】
0005527347.tif 000027
【図２７】
0005527347.tif 000028
【図２８】
0005527347.tif 000029
【図２９】
0005527347.tif 000030
【図３０】
0005527347.tif 000031
【図３１】
0005527347.tif 000032
【図３２】
0005527347.tif 000033
【図３３】
0005527347.tif 000034
【図３４】
0005527347.tif 000035
【図３５】
0005527347.tif 000036
【図３６】
0005527347.tif 000037
【図３７】
0005527347.tif 000038
【図３８】
0005527347.tif 000039
【図３９】
0005527347.tif 000040
【図４０】
0005527347.tif 000041
【図４１】
0005527347.tif 000042
【図４２】
0005527347.tif 000043
【図４３】
0005527347.tif 000044
【図４４】
0005527347.tif 000045
【図４５】
0005527347.tif 000046
【図４６】
0005527347.tif 000047
【図４７】
0005527347.tif 000048
【図４８】
0005527347.tif 000049
【図４９】
0005527347.tif 000050